(57)【要約】    【課題】      特定の機器向けの固有情報を関連付けたコンテンツを蓄積メディアに格納して販売、又は配布して、特定機器向けのパッケージ販売を実現すること。    【解決手段】  制御部３０１は、送受信部３０７により固有情報発行・管理サーバ１０１から受信されて入力された固有情報を固有情報記憶部３０３に記憶する。暗号処理部３１５は、コンテンツパッケージ部３１３から入力されるフルコンテンツ本体を、鍵生成部３１４から入力されるフルコンテンツ用タイトル鍵を用いて暗号化してコンテンツ全体を生成し、フルコンテンツ用タイトル鍵を固有情報記憶部３０３に記憶した固有情報に基づいて暗号化し、暗号化したコンテンツ全体と、暗号化したフルコンテンツ用タイトル鍵をメモリカードＩ／Ｆ部３０６によりメモリカード１０４内に蓄積する。  【選択図】      図３
2006163538.tif 000002
【特許請求の範囲】
【請求項１】
固有情報を発行する固有情報発行サーバと、コンテンツに関するデータを蓄積メディアに蓄積するコンテンツサーバと、前記蓄積メディアを装着するデータ処理装置と、を備えるデータ処理システムであって、
前記固有情報発行サーバは、
固有情報発行要求を受信する受信手段と、
前記固有情報発行要求に応じて固有情報を発行する発行手段と、
前記発行手段により発行された固有情報を送信する送信手段と、を備え、
前記コンテンツサーバは、
前記固有情報発行サーバが発行した固有情報を受信する受信手段と、
前記受信手段により受信した固有情報を記憶する記憶手段と、
データを前記固有情報に基づいて暗号化する暗号処理手段と、
前記蓄積メディアを着脱可能に接続する接続手段と、
前記暗号化したデータを前記接続手段に装着された蓄積メディアに蓄積する制御手段と、を備え、
前記データ処理装置は、
前記固有情報発行サーバが発行した固有情報を受信する受信手段と、
前記受信手段により受信した固有情報を記憶する記憶手段と、
前記蓄積メディアを着脱可能に接続する接続手段と、
前記接続手段に装着された前記蓄積メディアから前記データを読み出して前記固有情報に基づいて復号化する復号処理手段と、を備えることを特徴とするデータ処理システム。
【請求項２】
前記データは、コンテンツであることを特徴とする請求項１記載のデータ処理システム。
【請求項３】
前記コンテンツサーバは、
前記データを鍵情報として生成する鍵生成手段をさらに備え、
前記暗号処理手段により前記鍵情報を用いてコンテンツを暗号化し、
前記制御手段により前記暗号化したコンテンツを前記接続手段に装着された蓄積メディアに蓄積し、
前記データ処理装置は、
前記復号処理手段により前記接続手段に装着された前記蓄積メディアから前記コンテンツを読み出して前記復号化した鍵情報を用いて復号化することを特徴とする請求項１記載のデータ処理システム。
【請求項４】
前記コンテンツサーバにおいて、
コンテンツに関する権利データを生成する権利データ生成手段と、を更に備え、
前記データは権利データであることを特徴とする請求項１記載のデータ処理システム。
【請求項５】
前記コンテンツサーバにおいて、
前記データを鍵情報として生成する鍵生成手段と、
コンテンツに関する権利データを生成する権利データ生成手段と、を更に備え、
前記暗号処理手段により前記鍵情報を用いてコンテンツに関する権利データを暗号化し、
前記制御手段により前記暗号化した権利データを前記接続手段に装着された蓄積メディアに蓄積し、
前記データ処理装置は、
前記復号処理手段により前記接続手段に装着された前記蓄積メディアから前記権利データを読み出して前記復号化した鍵情報を用いて復号化することを特徴とする請求項１記載のデータ処理システム。
【請求項６】
フルコンテンツと、該フルコンテンツに関する権利データを蓄積するデータサーバを更に備え、
前記コンテンツサーバにおいて、
試聴コンテンツの試聴条件を設定する試聴コンテンツ用権利データと、フルコンテンツの再生条件を設定するフルコンテンツ用権利データを生成する権利データ生成手段と、
暗号化したフルコンテンツからフルコンテンツパッケージを生成するとともに、暗号化した試聴コンテンツから試聴コンテンツパッケージを生成するパッケージ生成手段と、
前記試聴コンテンツを暗号化する第一の試聴コンテンツ用暗号鍵と、前記試聴コンテンツパッケージを暗号化するための第二の試聴コンテンツ用暗号鍵と、前記試聴コンテンツ用権利データを暗号化するための権利データ用暗号鍵と、前記フルコンテンツを暗号化するためのフルコンテンツ用暗号鍵とを生成する鍵生成手段と、を更に備え、
前記暗号処理手段は、前記試聴コンテンツを前記第一の試聴コンテンツ用暗号鍵を用いて暗号化し、前記試聴コンテンツパッケージを前記第二の試聴コンテンツ用暗号鍵を用いて暗号化し、フルコンテンツを前記フルコンテンツ用復号鍵を用いて暗号化し、前記試聴コンテンツ用権利データを前記権利データ用暗号鍵を用いて暗号化し、前記第二の試聴コンテンツ用暗号鍵を前記固有情報に基づいて暗号化し、前記権利データ用暗号鍵を前記固有情報に基づいて暗号化し、
前記制御手段は、暗号化した前記試聴コンテンツパッケージ、前記試聴コンテンツ用権利データ、前記第二の試聴コンテンツ用暗号鍵、及び前記権利データ用暗号鍵を、前記接続手段に装着された蓄積メディアに蓄積し、
前記送信手段は、前記暗号化したフルコンテンツと、前記フルコンテンツ用権利データを前記データサーバに送信し、
前記データサーバは、
前記コンテンツサーバから送信される前記暗号化したフルコンテンツと、前記フルコンテンツ用権利データを受信するとともに、前記データ処理装置から送信されるフルコンテンツ用権利データとフルコンテンツの取得要求を受信する受信手段と、
前記受信手段により受信した前記暗号化したフルコンテンツと、前記フルコンテンツ用権利データを蓄積する蓄積手段と、
前記受信手段により受信したフルコンテンツ用権利データとフルコンテンツの取得要求に応じて、蓄積した前記フルコンテンツ用権利データと前記暗号化したフルコンテンツを前記データ処理装置に送信する送信手段と、を備え、
前記データ処理装置は、
前記試聴コンテンツ用権利データに設定された試聴条件を解釈する権利データ解釈手段と、
前記試聴コンテンツ用権利データの解釈結果に基づいて、前記試聴コンテンツの試聴処理を行う試聴処理手段と、を更に備え、
前記復号処理手段は、前記接続手段に装着された蓄積メディアから前記試聴コンテンツパッケージ、前記試聴コンテンツ用権利データ、前記第二の試聴コンテンツ用暗号鍵、及び前記権利データ用暗号鍵を読み出し、該第二の試聴コンテンツ用暗号鍵と該権利データ用暗号鍵を前記固有情報に基づいて復号化し、該復号化した権利データ用暗号鍵を用いて前記試聴コンテンツ用権利データを復号化し、該復号化した第二の試聴コンテンツ用暗号鍵を用いて前記試聴コンテンツパッケージを復号化して前記試聴コンテンツを取り出し、
前記権利データ解釈手段は、前記試聴コンテンツ用権利データに設定された試聴条件を解釈し、
前記試聴処理手段は、前記試聴コンテンツ用権利データの解釈結果に基づいて、前記試聴コンテンツの試聴処理を行い、
前記送信手段は、フルコンテンツ用権利データとフルコンテンツの取得要求を前記データサーバに送信し、
前記受信手段は、前記データサーバから送信される前記フルコンテンツ用権利データと前記暗号化したフルコンテンツを受信することを特徴とする請求項１記載のデータ処理システム。
【請求項７】
フルコンテンツに関する権利データを蓄積する権利データサーバを更に備え、
前記コンテンツサーバにおいて、
試聴コンテンツの試聴条件を設定する試聴コンテンツ用権利データと、フルコンテンツの再生条件を設定するフルコンテンツ用権利データを生成する権利データ生成手段と、
暗号化したフルコンテンツからフルコンテンツパッケージを生成するとともに、暗号化した試聴コンテンツから試聴コンテンツパッケージを生成するパッケージ生成手段と、
前記試聴コンテンツを暗号化する第一の試聴コンテンツ用暗号鍵と、前記試聴コンテンツパッケージを暗号化するための第二の試聴コンテンツ用暗号鍵と、前記試聴コンテンツ用権利データを暗号化するための権利データ用暗号鍵と、前記フルコンテンツを暗号化するためのフルコンテンツ用暗号鍵とを生成する鍵生成手段と、を更に備え、
前記暗号処理手段は、前記試聴コンテンツを前記第一の試聴コンテンツ用暗号鍵を用いて暗号化し、前記試聴コンテンツパッケージを前記第二の試聴コンテンツ用暗号鍵を用いて暗号化し、フルコンテンツを前記フルコンテンツ用復号鍵を用いて暗号化し、前記試聴コンテンツ用権利データを前記権利データ用暗号鍵を用いて暗号化し、前記第二の試聴コンテンツ用暗号鍵を前記固有情報に基づいて暗号化し、前記権利データ用暗号鍵を前記固有情報に基づいて暗号化し、
前記制御手段は、暗号化した前記試聴コンテンツパッケージ、前記試聴コンテンツ用権利データ、前記第二の試聴コンテンツ用暗号鍵、及び前記権利データ用暗号鍵と、前記フルコンテンツパッケージを、前記接続手段に装着された蓄積メディアに蓄積し、
前記送信手段は、前記暗号化したフルコンテンツ用権利データを前記権利データサーバに送信し、
前記権利データサーバは、
前記コンテンツサーバから送信される前記暗号化したフルコンテンツ用権利データを受信するとともに、前記データ処理装置から送信されるフルコンテンツ用権利データの取得要求を受信する受信手段と、
前記受信手段により受信した前記暗号化したフルコンテンツ用権利データを蓄積する蓄積手段と、
前記受信手段により受信したフルコンテンツ用権利データの取得要求に応じて、蓄積した前記暗号化したフルコンテンツ用権利データを前記データ処理装置に送信する送信手段と、を備え、
前記データ処理装置は、
前記試聴コンテンツ用権利データに設定された試聴条件を解釈する権利データ解釈手段と、
前記試聴コンテンツ用権利データの解釈結果に基づいて、前記試聴コンテンツの試聴処理を行う試聴処理手段と、を更に備え、
前記復号処理手段は、前記接続手段に装着された蓄積メディアから前記試聴コンテンツパッケージ、前記試聴コンテンツ用権利データ、前記第二の試聴コンテンツ用暗号鍵、前記権利データ用暗号鍵、及び前記フルコンテンツパッケージを読み出し、該第二の試聴コンテンツ用暗号鍵と該権利データ用暗号鍵を前記固有情報に基づいて復号化し、該復号化した権利データ用暗号鍵を用いて前記試聴コンテンツ用権利データを復号化し、該復号化した第二の試聴コンテンツ用暗号鍵を用いて前記試聴コンテンツパッケージを復号化して前記試聴コンテンツパッケージを取り出し、
前記権利データ解釈手段は、前記試聴コンテンツ用権利データに設定された試聴条件を解釈し、
前記試聴処理手段は、前記試聴コンテンツ用権利データの解釈結果に基づいて、前記試聴コンテンツの試聴処理を行い、
前記送信手段は、フルコンテンツ用権利データの取得要求を前記権利データサーバに送信し、
前記受信手段は、前記権利データサーバから送信されるフルコンテンツ用権利データを受信することを特徴とする請求項１記載のデータ処理システム。
【請求項８】
前記コンテンツサーバにおいて、
前記パッケージ生成手段は、前記試聴コンテンツパッケージを転送禁止用パッケージとしてパッケージングすることを特徴とする請求項６あるいは請求項７に記載のデータ処理システム。
【請求項９】
前記データ処理装置において、
前記試聴コンテンツの転送指示を入力する入力手段を更に備え、
前記送信手段は、前記転送指示に応じて前記試聴コンテンツを、前記固有情報を記憶した他のデータ処理装置に転送することを特徴とする請求項８記載のデータ処理システム。
【請求項１０】
前記データ処理装置において、
前記試聴コンテンツの転送指示を入力する入力手段と、
前記転送指示に応じて、前記試聴コンテンツパッケージの転送可、不可を、前記転送禁止用パッケージから得られる転送禁止情報に基づいて判定する転送判定手段と、を更に備え、
前記送信手段は、前記転送判定手段の判定結果に応じて、前記試聴コンテンツを、前記固有情報を記憶した他のデータ処理装置に転送することを特徴とする請求項８記載のデータ処理システム。
【請求項１１】
固有情報を発行する固有情報発行サーバと、暗号化したコンテンツと鍵情報を蓄積メディアに蓄積するコンテンツサーバとの間でコンテンツに関するデータを処理するデータ処理装置であって、
前記固有情報発行サーバが発行した固有情報を受信する受信手段と、
前記受信手段により受信した固有情報を記憶する記憶手段と、
前記蓄積メディアを着脱可能に接続する接続手段と、
前記接続手段に装着された前記蓄積メディアからデータを読み出して前記固有情報に基づいて復号化するする復号処理手段と、を備えることを特徴とするデータ処理装置。
【請求項１２】
前記データはコンテンツであることを特徴とする請求項１１記載のデータ処理装置。
【請求項１３】
前記データは鍵情報であり、
前記復号処理手段により前記接続手段に装着された前記蓄積メディアからコンテンツと前記鍵情報を読み出し、前記復号化した鍵情報を用いてコンテンツを復号化することを特徴とする請求項１１記載のデータ処理装置。
【請求項１４】
前記データはコンテンツに関する権利データであることを特徴とする請求項１１記載のデータ処理装置。
【請求項１５】
前記データは鍵情報であり、
前記復号処理手段により前記接続手段に装着された前記蓄積メディアから権利データと前記鍵情報を読み出し、前記復号化した鍵情報を用いて権利データを復号化することを特徴とする請求項１１記載のデータ処理装置。
【請求項１６】
前記コンテンツサーバは、暗号化した試聴コンテンツパッケージ、試聴コンテンツ用権利データ、試聴コンテンツ用暗号鍵、及び権利データ用暗号鍵を前記蓄積メディアに蓄積するとともに、暗号化したフルコンテンツと、フルコンテンツ用権利データをデータサーバに送信して蓄積し、
前記試聴コンテンツ用権利データに設定された試聴条件を解釈する権利データ解釈手段と、
前記試聴コンテンツ用権利データの解釈結果に基づいて、前記試聴コンテンツの試聴処理を行う試聴処理手段と、を更に備え、
前記復号処理手段は、前記接続手段に装着された前記蓄積メディアから前記試聴コンテンツパッケージ、前記試聴コンテンツ用権利データ、前記試聴コンテンツ用暗号鍵、及び前記権利データ用暗号鍵を読み出し、該試聴コンテンツ用暗号鍵と該権利データ用暗号鍵を前記固有情報に基づいて復号化し、該復号化した権利データ用暗号鍵を用いて前記試聴コンテンツ用権利データを復号化し、該復号化した試聴コンテンツ用暗号鍵を用いて前記試聴コンテンツパッケージを復号化して前記試聴コンテンツパッケージを取り出し、
前記権利データ解釈手段は、前記試聴コンテンツ用権利データに設定された試聴条件を解釈し、
前記試聴処理手段は、前記試聴コンテンツ用権利データの解釈結果に基づいて、前記試聴コンテンツの試聴処理を行い、
前記送信手段は、フルコンテンツ用権利データとフルコンテンツの取得要求を前記データサーバに送信し、
前記受信手段は、前記データサーバから送信される前記フルコンテンツ用権利データと前記暗号化したフルコンテンツを受信することを特徴とする請求項１１記載のデータ処理装置。
【請求項１７】
前記コンテンツサーバは、暗号化した試聴コンテンツパッケージ、試聴コンテンツ用権利データ、試聴コンテンツ用暗号鍵、及び権利データ用暗号鍵と、フルコンテンツパッケージを前記蓄積メディアに蓄積するとともに、暗号化したフルコンテンツ用権利データを権利データサーバに蓄積し、
前記試聴コンテンツ用権利データに設定された試聴条件を解釈する権利データ解釈手段と、
前記試聴コンテンツ用権利データの解釈結果に基づいて、前記試聴コンテンツの試聴処理を行う試聴処理手段と、を更に備え、
前記復号処理手段は、前記接続手段に装着された前記蓄積メディアから前記試聴コンテンツパッケージ、前記試聴コンテンツ用権利データ、前記試聴コンテンツ用暗号鍵、前記権利データ用暗号鍵、及び前記フルコンテンツパッケージを読み出し、該試聴コンテンツ用暗号鍵と該権利データ用暗号鍵を前記固有情報に基づいて復号化し、該復号化した権利データ用暗号鍵を用いて前記試聴コンテンツ用権利データを復号化し、該復号化した試聴コンテンツ用暗号鍵を用いて前記試聴コンテンツパッケージを復号化して試聴コンテンツパッケージを取り出し、
前記権利データ解釈手段は、前記試聴コンテンツ用権利データに設定された試聴条件を解釈し、
前記試聴処理手段は、前記試聴コンテンツ用権利データの解釈結果に基づいて、前記試聴コンテンツの試聴処理を行い、
前記送信手段は、フルコンテンツ用権利データの取得要求を前記権利データサーバに送信し、
前記受信手段は、前記権利データサーバから送信されるフルコンテンツ用権利データを受信することを特徴とする請求項１１記載のデータ処理装置。
【請求項１８】
前記試聴コンテンツパッケージは転送禁止用パッケージとしてパッケージングされていることを特徴とする請求項１６あるいは請求項１７に記載のデータ処理装置。
【請求項１９】
前記試聴コンテンツの転送指示を入力する入力手段を更に備え、
前記送信手段は、前記転送指示に応じて試聴コンテンツを、前記固有情報を記憶した他のデータ処理装置に転送することを特徴とする請求項１８記載のデータ処理装置。
【請求項２０】
前記試聴コンテンツの転送指示を入力する入力手段と、
前記転送指示に応じて、試聴コンテンツパッケージの転送可、不可を、転送禁止用パッケージから得られる転送禁止情報に基づいて判定する転送判定手段と、を更に備え、
前記送信手段は、前記転送判定手段の判定結果に応じて、試聴コンテンツを、前記固有情報を記憶した他のデータ処理装置に転送することを特徴とする請求項１９記載のデータ処理装置。
【請求項２１】
固有情報を発行する固有情報発行サーバと、コンテンツに関するデータを蓄積メディアに蓄積するコンテンツサーバと、前記蓄積メディアを装着するデータ処理装置と、を備えるデータ処理システムにおけるデータ処理方法であって、
前記固有情報発行サーバでは、
固有情報発行要求を受信する受信ステップと、
前記固有情報発行要求に応じて固有情報を発行する発行ステップと、
前記発行された固有情報を送信する送信ステップと、を有し、
前記コンテンツサーバでは、
前記固有情報発行サーバが発行した固有情報を受信する受信ステップと、
前記受信した固有情報を記憶手段に記憶する記憶ステップと、
データを前記固有情報に基づいて暗号化する暗号処理ステップと、
前記暗号化したデータを、前記蓄積メディアを着脱可能に接続する接続手段に装着された蓄積メディアに蓄積する制御ステップと、を有し、
前記データ処理装置では、
前記固有情報発行サーバが発行した固有情報を受信する受信ステップと、
前記受信した固有情報を記憶手段に記憶する記憶ステップと、
前記蓄積メディアを着脱可能に接続する接続手段に装着された前記蓄積メディアから前記データを読み出して前記固有情報に基づいて復号化する復号処理ステップと、を有することを特徴とするデータ処理方法。
【発明の詳細な説明】
【技術分野】
【０００１】
本発明は、データ処理システム、データ処理装置、及びデータ処理方法に関し、特に、デジタルコンテンツをパッケージ販売するためのデータ処理システム、データ処理装置、及びデータ処理方法に関する。
【背景技術】
【０００２】
近時、インターネット等のネットワーク環境の性能向上などにより、画像や音声などのデジタルデータを含むデジタルコンテンツが広範に流通するようになり、それに伴いデジタルコンテンツの著作権保護などのコンテンツ管理が重要な課題となっている。
【０００３】
従来、通信回線や記録媒体を介して提供されるデジタルコンテンツに対して、不正なコピーや分配を防止する方法として、コンテンツの再生時間の経過時間によりコンテンツの再生回数を制限する世代管理方法（例えば、特許文献１参照）、コンテンツに付加されたウォーターマーク（電子透かし）の検出結果に基づいてコンテンツの出力を制御する方法（例えば、特許文献２参照）、パッケージメディアに電子的錠を施錠し、業者のサーバコンピュータに収納されている電子的錠によりオンラインで解除してパッケージメディアのデジタルコンテンツを閲覧可能にする電子的錠による閲覧制限方法（例えば、特許文献３参照）などが提案されている。
【０００４】
また、最近では、デジタルコンテンツの取扱いを管理して著作権等を保護するための技術として、デジタルコンテンツの流通、再生等に制限を加えるＤＲＭ（Digital Rights Management ）技術が注目を集めている。ＤＲＭシステムの具体的な実装形態は様々で、メモリカードなどの記録媒体に内蔵される場合や、音声や動画のプレーヤーソフトウェアに組み込まれる場合、送受信、転送ソフトに組み込まれる場合、及びそれらの組み合わせなどがある。ＤＲＭシステムでは、コンテンツ毎に対応する利用権限を付与（取扱いに関する権利データとして記述）し、この権利データに基づいてコンテンツの再生などの利用を管理する。従って、権利データが無いとコンテンツの利用が行えず、また権利データにおける利用権限が消滅するとそれ以降の利用が行えなくなる。
【０００５】
また、デジタルコンテンツを販売する形態には、デジタルコンテンツを蓄積メディアに格納して販売するパッケージ販売があり、例えば、音楽ＣＤ（Compact Disc）の販売等が典型的な例である。ユーザは、ＣＤという蓄積メディアを購入すること自体が楽曲を購入する行為になっている。また、ソフトウェアのパッケージ販売のようにコンテンツ自体はＣＤに格納されているが、ソフトウェアをパーソナルコンピュータにインストールするために別途パスワードを必要とする場合がある。
【０００６】
また、近時、蓄積メディアに格納されたデジタルコンテンツが不正にコピーされてネットワークを介して第三者に配信されるといった不正行為が頻発しているため、パッケージ販売においても、デジタルコンテンツの取扱いを管理して著作権等を保護し、コンテンツ提供者の利益を保護するための対策が必要である。
【特許文献１】特開２０００−３４７６９６号公報
【特許文献２】特開２００２−２９７０３４号公報
【特許文献３】特開２００２−１３２７３５号公報
【発明の開示】
【発明が解決しようとする課題】
【０００７】
しかしながら、ＤＲＭでは、コンテンツの配信方法やパッケージ販売について規定されておらず、パッケージ販売を妨害する不正行為に対する対策が困難である。また、上記従来の各方法もパッケージ販売を妨害する不正行為に対する対策としては不十分である。
【０００８】
また、従来のパッケージ販売では、パッケージ販売にて特定の機器（例えば、携帯電話等）向けにサービスを行うことはできない。例えば、音楽ＣＤの場合は、自動的に音楽ＣＤに対応した全ての機器をサービス対象として考慮しなければならず、特定の機器向けにサービスを行うことは困難である。
【０００９】
また、従来のパッケージ販売では、ユーザが所有する機器に蓄積メディアを装着してコンテンツを試聴し、その試聴後に購入することはできない。例えば、音楽ＣＤの販売を行う店舗では、店舗内に設置された試聴用機器にてコンテンツの試聴を行うことはできるが、ユーザが所有する機器（機種）での試聴はできない。このため、試聴しているコンテンツがユーザが所有する機器に適していないこと（音楽の再生品質、画像表示の画面サイズ等）に気づかずに購入してしまうといった問題が発生する。
【００１０】
この問題の対策としては、蓄積メディアに全ての機器（機種）向けのコンテンツを格納することが考えられるが、蓄積メディアのメモリサイズ制限やコンテンツと機器との対応付け処理等、非効率であり、実現は困難である。
【００１１】
また、ユーザが通信回線を介してサーバに蓄積された試聴用コンテンツを携帯通信機器にダウンロードして購入するオンライン販売も行われているが、音楽や映像等の大容量コンテンツを伝送容量が小さい無線通信回線等を介してダウンロードすると、配信に時間がかかり、さらに配信途中での回線切断のため再配信処理が必要となったり、また、ユーザの通信コスト負担も増大する。
【００１２】
また、音楽ＣＤ等では暗号化されていないコンテンツ（以下、平文コンテンツという）や、権利データが蓄積メディアに格納されているため、上記のような不正行為が発生しやすいという問題がある。
【００１３】
また、暗号化コンテンツのみを蓄積メディアに格納し、その暗号化コンテンツを再生するための権利データはネットワーク経由でサーバから取得する方法も考えられる。しかし、この場合、試聴のみを行う場合でも、ユーザは、最初にネットワーク接続、及び試聴用権利データの選択、ダウンロードといった操作が必要であり、手間がかかる。
【００１４】
本発明はかかる点に鑑みてなされたものであり、特定の機器向けの固有情報を関連付けたコンテンツを蓄積メディアに格納して販売、又は配布して、特定機器向けのパッケージ販売を実現するデータ処理システム、データ処理装置、及びデータ処理方法を提供することを目的とする。
【課題を解決するための手段】
【００１５】
本発明のデータ処理システムは、固有情報を発行する固有情報発行サーバと、コンテンツに関するデータを蓄積メディアに蓄積するコンテンツサーバと、前記蓄積メディアを装着するデータ処理装置と、を備えるデータ処理システムであって、前記固有情報発行サーバは、固有情報発行要求を受信する受信手段と、前記固有情報発行要求に応じて固有情報を発行する発行手段と、前記発行手段により発行された固有情報を送信する送信手段と、を備え、前記コンテンツサーバは、前記固有情報発行サーバが発行した固有情報を受信する受信手段と、前記受信手段により受信した固有情報を記憶する記憶手段と、データを前記固有情報に基づいて暗号化する暗号処理手段と、前記蓄積メディアを着脱可能に接続する接続手段と、前記暗号化したデータを前記接続手段に装着された蓄積メディアに蓄積する制御手段と、を備え、前記データ処理装置は、前記固有情報発行サーバが発行した固有情報を受信する受信手段と、前記受信手段により受信した固有情報を記憶する記憶手段と、前記蓄積メディアを着脱可能に接続する接続手段と、前記接続手段に装着された前記蓄積メディアから前記データを読み出して前記固有情報に基づいて復号化する復号処理手段と、を備える構成を採る。
【００１６】
この構成によれば、特定機器のユーザは、データとしてコンテンツやコンテンツに関する権利データが蓄積された蓄積メディアを直接購入できるため、コンテンツ提供者は、蓄積メディアの容量を活用して、大容量コンテンツをサーバからの配信時間を必要とすることなく、パッケージ販売することができる。その結果、移動体通信ネットワーク等の通信容量の小さい通信を利用するユーザに対してもパッケージ販売を実現することができる。また、固有情報発行サーバにより固有情報を発行するため、固有情報発行者がサービスに応じて様々な固有情報を発行することができ、特定の機器向けに様々なサービスを提供することができる。
【００１７】
また、本発明のデータ処理システムは、請求項１記載のデータ処理システムにおいて、前記データは、コンテンツである構成を採る。
【００１８】
この構成によれば、特定機器のユーザに向けて暗号化したコンテンツを蓄積した蓄積メディアを配布又は販売することができる。
【００１９】
また、本発明のデータ処理システムは、請求項１記載のデータ処理システムにおいて、前記コンテンツサーバは、前記データを鍵情報として生成する鍵生成手段をさらに備え、前記暗号処理手段により前記鍵情報を用いてコンテンツを暗号化し、前記制御手段により前記暗号化したコンテンツを前記接続手段に装着された蓄積メディアに蓄積し、前記データ処理装置は、前記復号処理手段により前記接続手段に装着された前記蓄積メディアから前記コンテンツを読み出して前記復号化した鍵情報を用いて復号化する構成を採る。
【００２０】
この構成によれば、特定機器のユーザに向けて鍵情報を用いて暗号化したコンテンツを蓄積した蓄積メディアを配布又は販売することができる。
【００２１】
また、本発明のデータ処理システムは、請求項１記載のデータ処理システムにおいて、前記コンテンツサーバにおいて、コンテンツに関する権利データを生成する権利データ生成手段と、を更に備え、前記データは権利データである構成を採る。
【００２２】
この構成によれば、特定機器のユーザに向けて暗号化したコンテンツに関する権利データを蓄積した蓄積メディアを配布又は販売することができる。
【００２３】
また、本発明のデータ処理システムは、請求項１記載のデータ処理システムにおいて、前記コンテンツサーバにおいて、前記データを鍵情報として生成する鍵生成手段と、コンテンツに関する権利データを生成する権利データ生成手段と、を更に備え、前記暗号処理手段により前記鍵情報を用いてコンテンツに関する権利データを暗号化し、前記制御手段により前記暗号化した権利データを前記接続手段に装着された蓄積メディアに蓄積し、前記データ処理装置は、前記復号処理手段により前記接続手段に装着された前記蓄積メディアから前記権利データを読み出して前記復号化した鍵情報を用いて復号化する構成を採る。
【００２４】
この構成によれば、特定機器のユーザに向けて鍵情報を用いて暗号化したコンテンツに関する権利データを蓄積した蓄積メディアを配布又は販売することができる。
【００２５】
また、本発明のデータ処理システムは、請求項１記載のデータ処理システムにおいて、フルコンテンツと、該フルコンテンツに関する権利データを蓄積するデータサーバを更に備え、前記コンテンツサーバにおいて、試聴コンテンツの試聴条件を設定する試聴コンテンツ用権利データと、フルコンテンツの再生条件を設定するフルコンテンツ用権利データを生成する権利データ生成手段と、暗号化したフルコンテンツからフルコンテンツパッケージを生成するとともに、暗号化した試聴コンテンツから試聴コンテンツパッケージを生成するパッケージ生成手段と、前記試聴コンテンツを暗号化する第一の試聴コンテンツ用暗号鍵と、前記試聴コンテンツパッケージを暗号化するための第二の試聴コンテンツ用暗号鍵と、前記試聴コンテンツ用権利データを暗号化するための権利データ用暗号鍵と、前記フルコンテンツを暗号化するためのフルコンテンツ用暗号鍵とを生成する鍵生成手段と、を更に備え、前記暗号処理手段は、前記試聴コンテンツを前記第一の試聴コンテンツ用暗号鍵を用いて暗号化し、前記試聴コンテンツパッケージを前記第二の試聴コンテンツ用暗号鍵を用いて暗号化し、フルコンテンツを前記フルコンテンツ用復号鍵を用いて暗号化し、前記試聴コンテンツ用権利データを前記権利データ用暗号鍵を用いて暗号化し、前記第二の試聴コンテンツ用暗号鍵を前記固有情報に基づいて暗号化し、前記権利データ用暗号鍵を前記固有情報に基づいて暗号化し、前記制御手段は、暗号化した前記試聴コンテンツパッケージ、前記試聴コンテンツ用権利データ、前記第二の試聴コンテンツ用暗号鍵、及び前記権利データ用暗号鍵を、前記接続手段に装着された蓄積メディアに蓄積し、前記送信手段は、前記暗号化したフルコンテンツと、前記フルコンテンツ用権利データを前記データサーバに送信し、前記データサーバは、前記コンテンツサーバから送信される前記暗号化したフルコンテンツと、前記フルコンテンツ用権利データを受信するとともに、前記データ処理装置から送信されるフルコンテンツ用権利データとフルコンテンツの取得要求を受信する受信手段と、前記受信手段により受信した前記暗号化したフルコンテンツと、前記フルコンテンツ用権利データを蓄積する蓄積手段と、前記受信手段により受信したフルコンテンツ用権利データとフルコンテンツの取得要求に応じて、蓄積した前記フルコンテンツ用権利データと前記暗号化したフルコンテンツを前記データ処理装置に送信する送信手段と、を備え、前記データ処理装置は、前記試聴コンテンツ用権利データに設定された試聴条件を解釈する権利データ解釈手段と、前記試聴コンテンツ用権利データの解釈結果に基づいて、前記試聴コンテンツの試聴処理を行う試聴処理手段と、を更に備え、前記復号処理手段は、前記接続手段に装着された蓄積メディアから前記試聴コンテンツパッケージ、前記試聴コンテンツ用権利データ、前記第二の試聴コンテンツ用暗号鍵、及び前記権利データ用暗号鍵を読み出し、該第二の試聴コンテンツ用暗号鍵と該権利データ用暗号鍵を前記固有情報に基づいて復号化し、該復号化した権利データ用暗号鍵を用いて前記試聴コンテンツ用権利データを復号化し、該復号化した第二の試聴コンテンツ用暗号鍵を用いて前記試聴コンテンツパッケージを復号化して前記試聴コンテンツを取り出し、前記権利データ解釈手段は、前記蓄積した試聴コンテンツ用権利データに設定された試聴条件を解釈し、前記試聴処理手段は、前記試聴コンテンツ用権利データの解釈結果に基づいて、前記蓄積した試聴コンテンツの試聴処理を行い、前記送信手段は、フルコンテンツ用権利データとフルコンテンツの取得要求を前記データサーバに送信し、前記受信手段は、前記データサーバから送信される前記フルコンテンツ用権利データと前記暗号化したフルコンテンツを受信する構成を採る。
【００２６】
この構成によれば、蓄積メディアに試聴用コンテンツと、試聴コンテンツに対応する鍵情報とを固有情報で暗号化して蓄積することにより、固有情報を記憶した特定機器のユーザに対して、試聴コンテンツを低料金または無料で配布することができる。このため、データ処理装置のユーザは、蓄積メディアに蓄積された試聴コンテンツを自装置の再生機能に合わせて再生してコンテンツの内容を確認することができ、フルコンテンツの購入手続きへの移行を容易かつ確実に行うことができる。
【００２７】
また、フルコンテンツが暗号化されているため、フルコンテンツをセキュアにサーバからデータ処理装置に配信することが可能であり、フル暗号化コンテンツの超流通を実現することができ、コンテンツ流通における広告効果を高めることができる。
【００２８】
また、フルコンテンツ用権利データには、フルコンテンツの再生を制限する情報も含まれるため、コンテンツパッケージサーバを運用するコンテンツ販売者、またはコンテンツの権利を保有するコンテンツ管理者の利益を保護しながらコンテンツ再生条件を適宜設定することができる。
【００２９】
また、本発明のデータ処理システムは、請求項１記載のデータ処理システムにおいて、フルコンテンツに関する権利データを蓄積する権利データサーバを更に備え、前記コンテンツサーバにおいて、試聴コンテンツの試聴条件を設定する試聴コンテンツ用権利データと、フルコンテンツの再生条件を設定するフルコンテンツ用権利データを生成する権利データ生成手段と、暗号化したフルコンテンツからフルコンテンツパッケージを生成するとともに、暗号化した試聴コンテンツから試聴コンテンツパッケージを生成するパッケージ生成手段と、前記試聴コンテンツを暗号化する第一の試聴コンテンツ用暗号鍵と、前記試聴コンテンツパッケージを暗号化するための第二の試聴コンテンツ用暗号鍵と、前記試聴コンテンツ用権利データを暗号化するための権利データ用暗号鍵と、前記フルコンテンツを暗号化するためのフルコンテンツ用暗号鍵とを生成する鍵生成手段と、を更に備え、前記暗号処理手段は、前記試聴コンテンツを前記第一の試聴コンテンツ用暗号鍵を用いて暗号化し、前記試聴コンテンツパッケージを前記第二の試聴コンテンツ用暗号鍵を用いて暗号化し、フルコンテンツを前記フルコンテンツ用復号鍵を用いて暗号化し、前記試聴コンテンツ用権利データを前記権利データ用暗号鍵を用いて暗号化し、前記第二の試聴コンテンツ用暗号鍵を前記固有情報に基づいて暗号化し、前記権利データ用暗号鍵を前記固有情報に基づいて暗号化し、前記制御手段は、暗号化した前記試聴コンテンツパッケージ、前記試聴コンテンツ用権利データ、前記第二の試聴コンテンツ用暗号鍵、及び前記権利データ用暗号鍵と、前記フルコンテンツパッケージを、前記接続手段に装着された蓄積メディアに蓄積し、前記送信手段は、前記暗号化したフルコンテンツ用権利データを前記権利データサーバに送信し、前記権利データサーバは、前記コンテンツサーバから送信される前記暗号化したフルコンテンツ用権利データを受信するとともに、前記データ処理装置から送信されるフルコンテンツ用権利データの取得要求を受信する受信手段と、前記受信手段により受信した前記暗号化したフルコンテンツ用権利データを蓄積する蓄積手段と、前記受信手段により受信したフルコンテンツ用権利データの取得要求に応じて、蓄積した前記暗号化したフルコンテンツ用権利データを前記データ処理装置に送信する送信手段と、を備え、前記データ処理装置は、前記試聴コンテンツ用権利データに設定された試聴条件を解釈する権利データ解釈手段と、前記試聴コンテンツ用権利データの解釈結果に基づいて、前記試聴コンテンツの試聴処理を行う試聴処理手段と、を更に備え、前記復号処理手段は、前記接続手段に装着された蓄積メディアから前記試聴コンテンツパッケージ、前記試聴コンテンツ用権利データ、前記第二の試聴コンテンツ用暗号鍵、前記権利データ用暗号鍵、及び前記フルコンテンツパッケージを読み出し、該第二の試聴コンテンツ用暗号鍵と該権利データ用暗号鍵を前記固有情報に基づいて復号化し、該復号化した権利データ用暗号鍵を用いて前記試聴コンテンツ用権利データを復号化し、該復号化した第二の試聴コンテンツ用暗号鍵を用いて前記試聴コンテンツパッケージを復号化して前記試聴コンテンツパッケージを取り出し、前記権利データ解釈手段は、前記蓄積した試聴コンテンツ用権利データに設定された試聴条件を解釈し、前記試聴処理手段は、前記試聴コンテンツ用権利データの解釈結果に基づいて、前記試聴コンテンツの試聴処理を行い、前記送信手段は、フルコンテンツ用権利データの取得要求を前記権利データサーバに送信し、前記受信手段は、前記権利データサーバから送信されるフルコンテンツ用権利データを受信する構成を採る。
【００３０】
この構成によれば、蓄積メディアに試聴用コンテンツと、フルコンテンツと、試聴コンテンツに対応する鍵情報とを固有情報で暗号化して蓄積することにより、固有情報を記憶した特定機器のユーザに対して、試聴コンテンツを低料金または無料で配布することができる。このため、データ処理装置のユーザは、蓄積メディアに蓄積された試聴コンテンツを自装置の再生機能に合わせて再生してコンテンツの内容を確認することができ、フルコンテンツ用権利データの購入手続きへの移行を、容易かつ確実に行うことができる。
【００３１】
また、フルコンテンツ用権利データが暗号化されているため、フルコンテンツ用権利データをセキュアにサーバからデータ処理装置に配信することが可能であり、フル暗号化コンテンツの超流通を実現することができ、コンテンツ流通における広告効果を高めることができるとともに、配信時間を短縮でき、ユーザの通信コスト負担も軽減することができる。
【００３２】
また、フルコンテンツ用権利データには、フルコンテンツの再生を制限する情報も含まれるため、コンテンツパッケージサーバを運用するコンテンツ販売者、またはコンテンツの権利を保有するコンテンツ管理者の利益を保護しながらコンテンツ再生条件を適宜設定することができる。
【００３３】
また、試聴コンテンツの配布とフルコンテンツの流通を、コンテンツ提供者の権利を保護しながら容易にすることができ、コンテンツ販売者、またはコンテンツ管理者の利益を保護しながらコンテンツの超流通の拡大を図ることができる。
【００３４】
また、本発明のデータ処理システムは、請求項６あるいは請求項７記載のデータ処理システムにおいて、前記コンテンツサーバにおいて、前記パッケージ生成手段は、前記試聴コンテンツパッケージを転送禁止用パッケージとしてパッケージングする構成を採る。
【００３５】
この構成によれば、試聴コンテンツの配布とフルコンテンツの流通を、コンテンツ提供者の権利を保護しながら容易にすることができ、コンテンツ販売者、またはコンテンツ管理者の利益を保護しながらコンテンツの超流通の拡大を図ることができる。
【００３６】
また、本発明のデータ処理システムは、請求項８記載のデータ処理システムにおいて、前記データ処理装置において、前記試聴コンテンツの転送指示を入力する入力手段を更に備え、前記送信手段は、前記転送指示に応じて試聴コンテンツを、前記固有情報を記憶した他のデータ処理装置に転送する構成を採る。
【００３７】
この構成によれば、試聴コンテンツ転送先のデータ処理装置は、同様にデータサーバからフルコンテンツ用権利データを購入することができ、試聴コンテンツの配布とフルコンテンツの流通を、コンテンツ提供者の権利を保護しながら容易にすることができ、コンテンツ販売者、またはコンテンツ管理者の利益を保護しながらコンテンツの超流通の拡大を図ることができる。
【００３８】
また、本発明のデータ処理システムは、請求項８記載のデータ処理システムにおいて、前記データ処理装置において、前記試聴コンテンツの転送指示を入力する入力手段と、前記転送指示に応じて、試聴コンテンツパッケージの転送可、不可を、前記転送禁止用パッケージから得られる前記転送禁止情報に基づいて判定する転送判定手段と、を更に備え、前記送信手段は、前記転送判定手段の判定結果に応じて、前記試聴コンテンツを、前記固有情報を記憶した他のデータ処理装置に転送する構成を採る。
【００３９】
この構成によれば、試聴コンテンツの不正な転送を防止することができ、不正な利用を防止することができ、コンテンツ販売者、またはコンテンツ管理者の利益を保護しながらコンテンツの超流通の拡大を図ることができる。
【００４０】
また、本発明のデータ処理装置は、固有情報を発行する固有情報発行サーバと、暗号化したコンテンツと鍵情報を蓄積メディアに蓄積するコンテンツサーバとの間でコンテンツに関するデータを処理するデータ処理装置であって、前記固有情報発行サーバが発行した固有情報を受信する受信手段と、前記受信手段により受信した固有情報を記憶する記憶手段と、前記蓄積メディアを着脱可能に接続する接続手段と、前記接続手段に装着された前記蓄積メディアからデータを読み出して前記固有情報に基づいて復号化する復号処理手段と、を備える構成を採る。
【００４１】
この構成によれば、特定機器のユーザは、コンテンツやコンテンツに関する権利データが蓄積された蓄積メディアを直接購入できるため、コンテンツ提供者は、蓄積メディアの容量を活用して、大容量コンテンツをサーバからの配信時間を必要とすることなく、パッケージ販売することができる。その結果、移動体通信ネットワーク等の通信容量の小さい通信を利用するユーザに対してもパッケージ販売を実現することができる。また、固有情報発行サーバにより固有情報を発行するため、固有情報発行者がサービスに応じて様々な固有情報を発行することができ、特定の機器向けに様々なサービスを提供することができる。
【００４２】
また、本発明のデータ処理装置は、請求項１１記載のデータ処理装置において、前記データはコンテンツである構成を採る。
【００４３】
この構成によれば、特定機器のユーザに向けて暗号化したコンテンツを蓄積した蓄積メディアを配布又は販売することができる。
【００４４】
また、本発明のデータ処理装置は、請求項１１記載のデータ処理装置において、前記データは鍵情報であり、前記復号処理手段により前記接続手段に装着された前記蓄積メディアからコンテンツと前記鍵情報を読み出し、前記復号化した鍵情報を用いてコンテンツを復号化する構成を採る。
【００４５】
この構成によれば、特定機器のユーザに向けて鍵情報を用いて暗号化したコンテンツを蓄積した蓄積メディアを配布又は販売することができる。
【００４６】
また、本発明のデータ処理装置は、請求項１１記載のデータ処理装置において、前記データはコンテンツに関する権利データである構成を採る。
【００４７】
この構成によれば、特定機器のユーザに向けて暗号化したコンテンツに関する権利データを蓄積した蓄積メディアを配布又は販売することができる。
【００４８】
また、本発明のデータ処理装置は、請求項１１記載のデータ処理装置において、前記データは鍵情報であり、前記復号処理手段により前記接続手段に装着された前記蓄積メディアから権利データと前記鍵情報を読み出し、前記復号化した鍵情報を用いて権利データを復号化する構成を採る。
【００４９】
この構成によれば、特定機器のユーザに向けて鍵情報を用いて暗号化したコンテンツを蓄積した蓄積メディアを配布又は販売することができる。
【００５０】
また、本発明のデータ処理装置は、請求項１１記載のデータ処理装置において、前記コンテンツサーバは、暗号化した試聴コンテンツパッケージ、試聴コンテンツ用権利データ、試聴コンテンツ用暗号鍵、及び権利データ用暗号鍵を前記蓄積メディアに蓄積するとともに、暗号化したフルコンテンツと、フルコンテンツ用権利データをデータサーバに送信して蓄積し、前記試聴コンテンツ用権利データに設定された試聴条件を解釈する権利データ解釈手段と、前記試聴コンテンツ用権利データの解釈結果に基づいて、前記試聴コンテンツの試聴処理を行う試聴処理手段と、を更に備え、前記復号処理手段は、前記接続手段に装着された前記蓄積メディアから前記試聴コンテンツパッケージ、前記試聴コンテンツ用権利データ、前記試聴コンテンツ用暗号鍵、及び前記権利データ用暗号鍵を読み出し、該試聴コンテンツ用暗号鍵と該権利データ用暗号鍵を前記固有情報に基づいて復号化し、該復号化した権利データ用暗号鍵を用いて前記試聴コンテンツ用権利データを復号化し、該復号化した試聴コンテンツ用暗号鍵を用いて前記試聴コンテンツパッケージを復号化して前記試聴コンテンツパッケージを取り出し、前記権利データ解釈手段は、前記試聴コンテンツ用権利データに設定された試聴条件を解釈し、前記試聴処理手段は、前記試聴コンテンツ用権利データの解釈結果に基づいて、前記試聴コンテンツの試聴処理を行い、前記送信手段は、フルコンテンツ用権利データとフルコンテンツの取得要求を前記データサーバに送信し、前記受信手段は、前記データサーバから送信される前記フルコンテンツ用権利データと前記暗号化したフルコンテンツを受信する構成を採る。
【００５１】
この構成によれば、蓄積メディアに試聴用コンテンツと、試聴コンテンツに対応する鍵情報とを固有情報で暗号化して蓄積することにより、固有情報を記憶した特定機器のユーザに対して、試聴コンテンツを低料金または無料で配布することができる。このため、データ処理装置のユーザは、蓄積メディアに蓄積された試聴コンテンツを自装置の再生機能に合わせて再生してコンテンツの内容を確認することができ、フルコンテンツの購入手続きへの移行を、容易かつ確実に行うことができる。
【００５２】
また、フルコンテンツが暗号化されているため、フルコンテンツをセキュアにサーバからデータ処理装置に配信することが可能であり、フル暗号化コンテンツの超流通を実現することができ、コンテンツ流通における広告効果を高めることができる。
【００５３】
また、本発明のデータ処理装置は、請求項１１記載のデータ処理装置において、前記コンテンツサーバは、暗号化した試聴コンテンツパッケージ、試聴コンテンツ用権利データ、試聴コンテンツ用暗号鍵、及び権利データ用暗号鍵と、フルコンテンツパッケージを前記蓄積メディアに蓄積するとともに、暗号化したフルコンテンツ用権利データを権利データサーバに蓄積し、前記試聴コンテンツ用権利データに設定された試聴条件を解釈する権利データ解釈手段と、前記試聴コンテンツ用権利データの解釈結果に基づいて、前記試聴コンテンツの試聴処理を行う試聴処理手段と、を更に備え、前記復号処理手段は、前記接続手段に装着された前記蓄積メディアから前記試聴コンテンツパッケージ、前記試聴コンテンツ用権利データ、前記試聴コンテンツ用暗号鍵、前記権利データ用暗号鍵、及び前記フルコンテンツパッケージを読み出し、該試聴コンテンツ用暗号鍵と該権利データ用暗号鍵を前記固有情報に基づいて復号化し、該復号化した権利データ用暗号鍵を用いて前記試聴コンテンツ用権利データを復号化し、該復号化した試聴コンテンツ用暗号鍵を用いて前記試聴コンテンツパッケージを復号化して試聴コンテンツパッケージを取り出し、前記権利データ解釈手段は、前記試聴コンテンツ用権利データに設定された試聴条件を解釈し、前記試聴処理手段は、前記試聴コンテンツ用権利データの解釈結果に基づいて、前記試聴コンテンツの試聴処理を行い、前記送信手段は、フルコンテンツ用権利データの取得要求を前記権利データサーバに送信し、前記受信手段は、前記権利データサーバから送信されるフルコンテンツ用権利データを受信する構成を採る。
【００５４】
この構成によれば、蓄積メディアに試聴用コンテンツと、フルコンテンツと、試聴コンテンツに対応する鍵情報とを固有情報で暗号化して蓄積することにより、固有情報を記憶した特定機器のユーザに対して、試聴コンテンツを低料金または無料で配布することができる。このため、データ処理装置のユーザは、蓄積メディアに蓄積された試聴コンテンツを自装置の再生機能に合わせて再生してコンテンツの内容を確認することができ、フルコンテンツ用権利データの購入手続きへの移行を、容易かつ確実に行うことができる。
【００５５】
また、フルコンテンツ用権利データが暗号化されているため、フルコンテンツ用権利データをセキュアにサーバからデータ処理装置に配信することが可能であり、フル暗号化コンテンツの超流通を実現することができ、コンテンツ流通における広告効果を高めることができるとともに、配信時間を短縮でき、ユーザの通信コスト負担も軽減することができる。
【００５６】
また、本発明のデータ処理装置は、請求項１６あるいは請求項１７記載のデータ処理装置において、前記試聴コンテンツパッケージは転送禁止用パッケージとしてパッケージングされている構成を採る。
【００５７】
この構成によれば、試聴コンテンツの配布とフルコンテンツの流通を、コンテンツ提供者の権利を保護しながら容易にすることができ、コンテンツ販売者、またはコンテンツ管理者の利益を保護しながらコンテンツの超流通の拡大を図ることができる。
【００５８】
また、本発明のデータ処理装置は、請求項１８記載のデータ処理装置において、前記試聴コンテンツの転送指示を入力する入力手段を更に備え、前記送信手段は、前記転送指示に応じて前記試聴コンテンツを、前記固有情報を記憶した他のデータ処理装置に転送する構成を採る。
【００５９】
この構成によれば、試聴コンテンツ転送先のデータ処理装置は、同様にデータサーバからフルコンテンツ用権利データを購入することができ、試聴コンテンツの配布とフルコンテンツの流通を、コンテンツ提供者の権利を保護しながら容易にすることができ、コンテンツ販売者、またはコンテンツ管理者の利益を保護しながらコンテンツの超流通の拡大を図ることができる。
【００６０】
また、本発明のデータ処理装置は、請求項１９記載のデータ処理装置において、前記試聴コンテンツの転送指示を入力する入力手段と、前記転送指示に応じて、試聴コンテンツパッケージの転送可、不可を、転送禁止用パッケージから得られる転送禁止情報に基づいて判定する転送判定手段と、を更に備え、前記送信手段は、前記転送判定手段の判定結果に応じて、試聴コンテンツを、前記固有情報を記憶した他のデータ処理装置に転送する構成を採る。
【００６１】
この構成によれば、試聴コンテンツの不正な転送を防止することができ、不正な利用を防止することができ、コンテンツ販売者、またはコンテンツ管理者の利益を保護しながらコンテンツの超流通の拡大を図ることができる。
【００６２】
また、本発明のデータ処理方法は、固有情報を発行する固有情報発行サーバと、コンテンツに関するデータを蓄積メディアに蓄積するコンテンツサーバと、前記蓄積メディアを装着するデータ処理装置と、を備えるデータ処理システムにおけるデータ処理方法であって、前記固有情報発行サーバでは、固有情報発行要求を受信する受信ステップと、前記固有情報発行要求に応じて固有情報を発行する発行ステップと、前記発行された固有情報を送信する送信ステップと、を有し、前記コンテンツサーバでは、前記固有情報発行サーバが発行した固有情報を受信する受信ステップと、前記受信した固有情報を記憶手段に記憶する記憶ステップと、データを前記固有情報に基づいて暗号化する暗号処理ステップと、前記暗号化したデータを、前記蓄積メディアを着脱可能に接続する接続手段に装着された蓄積メディアに蓄積する制御ステップと、を有し、前記データ処理装置では、前記固有情報発行サーバが発行した固有情報を受信する受信ステップと、前記受信した固有情報を記憶手段に記憶する記憶ステップと、前記蓄積メディアを着脱可能に接続する接続手段に装着された前記蓄積メディアから前記データを読み出して前記固有情報に基づいて復号化する復号処理ステップと、を有する。
【００６３】
この方法によれば、特定機器のユーザは、コンテンツやコンテンツに関する権利データが蓄積された蓄積メディアを直接購入できるため、コンテンツ提供者は、蓄積メディアの容量を活用して、大容量コンテンツをサーバからの配信時間を必要とすることなく、パッケージ販売することができる。その結果、移動体通信ネットワーク等の通信容量の小さい通信を利用するユーザに対してもパッケージ販売を実現することができる。また、固有情報発行サーバにより固有情報を発行するため、固有情報発行者がサービスに応じて様々な固有情報を発行することができ、特定の機器向けに様々なサービスを提供することができる。
【発明の効果】
【００６４】
本発明によれば、特定機器のユーザは、鍵情報と暗号化されたコンテンツが蓄積された蓄積メディアを直接購入できるため、コンテンツ提供者は、蓄積メディアの容量を活用して、大容量コンテンツをサーバからの配信時間を必要とすることなく、パッケージ販売することができる。その結果、移動体通信ネットワーク等の通信容量の小さい通信を利用するユーザに対してもパッケージ販売を実現することができる。また、固有情報発行サーバにより固有情報を発行するため、固有情報発行者がサービスに応じて様々な固有情報を発行することができ、特定の機器向けに様々なサービスを提供することができる。
【発明を実施するための最良の形態】
【００６５】
以下、本発明の実施の形態について図面を参照して詳細に説明する。
【００６６】
なお、以下に述べる各実施の形態において共通に適用する用語の定義について説明する。
【００６７】
コンテンツ：文字、音声、映像、地図等を電子化したデータ、ゲームやソフトウェア等と、これらの組み合わせたもの。
【００６８】
フルコンテンツ：通常のコンテンツであり、特にコンテンツ一部のみの抜粋や低品質化やサイズ縮小等を行っていないもの。
【００６９】
試聴コンテンツ：フルコンテンツの試聴を目的とするためのコンテンツであり、フルコンテンツの一部、低品質版、サイズ縮小版等。通常、フルコンテンツよりデータサイズが小さいもの。
【００７０】
平文コンテンツ：コンテンツ全体が平文（暗号化されていない）であるコンテンツ。再生時に権利データが必要なものと権利データが必要でないものの二種類。
【００７１】
暗号化コンテンツ：コンテンツ全体または一部が暗号化されているコンテンツ。再生時に対応する権利データが必要になるもの。
【００７２】
権利データ：コンテンツ毎に対応する利用権限を表すデータであり、このデータに基づいてコンテンツの再生等を管理する。権利データには、コンテンツの再生やライセンス自身の利用等に関する制限情報（再生回数、再生期間、ユーザ、機器、位置、ネットワーク等）が含まれる場合がある。
【００７３】
超流通（Superdistribution）：コンテンツを暗号化して自由かつ安全に流通させることを目的とする流通形態である。この超流通では、暗号化コンテンツをネットワーク配信等により無料で配布し、コンテンツの再生には、コンテンツ内部に記載されている権利データ取得用のＵＲＬにアクセスして権利データ（再生条件や課金を含む）を取得する必要がある。
【００７４】
（実施の形態１）
図１は本発明の実施の形態１に係るコンテンツを格納したパッケージを販売するコンテンツ処理システムの構成を示す図である。ここでは、携帯電話装置等の携帯情報端末装置及びコンテンツパッケージサーバが固有情報・発行管理サーバから固有情報を取得して蓄積し、コンテンツパッケージサーバがフルコンテンツ用タイトル鍵を用いてフルコンテンツを暗号化し、固有情報に基づいてフルコンテンツ用タイトル鍵を暗号化してメモリカードに蓄積し、携帯情報端末装置が購入したメモリカードからフルコンテンツ用タイトル鍵を読み出して固有情報に基づいて復号化し、メモリカードから読み出したフルコンテンツをフルコンテンツ用タイトル鍵を用いて復号化して蓄積する場合の構成及び動作を説明する。本実施の形態の例では、コンテンツパッケージサーバがパッケージ販売元のコンテンツサーバに相当し、携帯情報端末装置がデータ処理装置に相当する。
【００７５】
図１において、コンテンツ処理システム１００は、パッケージ販売に関わる固有情報の発行を管理する固有情報発行・管理サーバ１０１と、フルコンテンツ及びフルコンテンツ用タイトル鍵の暗号化と、メモリカード１０４への蓄積を行うコンテンツパッケージサーバ１０２と、メモリカード１０４に蓄積されたフルコンテンツ及びフルコンテンツ用タイトル鍵を復号化して蓄積する携帯情報端末装置１０３と、フルコンテンツ及びフルコンテンツ用タイトル鍵を蓄積するメモリカード１０４と、から構成されている。
【００７６】
また、図１において、固有情報発行・管理サーバ１０１とコンテンツパッケージサーバ１０２は、通信ネットワーク１０５を介して接続され、固有情報発行・管理サーバ１０１と携帯情報端末装置１０３は、移動体通信ネットワーク１０６を介して接続される。
【００７７】
図２は、固有情報発行・管理サーバ１０１の構成を示すブロック図である。図２において、固有情報発行・管理サーバ１０１は、固有情報生成部２０１と、管理部２０２と、固有情報蓄積部２０３と、送受信部２０４と、から主に構成される。
【００７８】
固有情報生成部２０１は、管理部２０２から入力される固有情報生成指示に応じて、固有情報を生成して管理部２０２に出力する。なお、固有情報生成部２０１は、発行手段として機能する。
【００７９】
管理部２０２は、送受信部２０４により通信ネットワーク１０５又は移動体通信ネットワーク１０６を介してコンテンツパッケージサーバ１０２又は携帯情報端末装置１０３から受信する固有情報発行指示に応じて、固有情報生成指示を固有情報生成部２０１に出力し、固有情報生成部２０１から入力される固有情報を送受信部２０４に出力するとともに、固有情報蓄積部２０３に蓄積して管理する。
【００８０】
固有情報蓄積部２０３は、管理部２０２の制御により生成・発行済みの固有情報を蓄積する。
【００８１】
送受信部２０４は、通信ネットワーク１０５と有線接続するインターフェース機能と、移動体通信ネットワーク１０６と無線接続するインターフェース機能を有し、通信ネットワーク１０５又は移動体通信ネットワーク１０６を介してコンテンツパッケージサーバ１０２又は携帯情報端末装置１０３から固有情報発行指示を受信して管理部２０２に出力するとともに、管理部２０２から入力される固有情報を通信ネットワーク１０５又は移動体通信ネットワーク１０６を介してコンテンツパッケージサーバ１０２又は携帯情報端末装置１０３に送信する。なお、送受信部２０４は、送信手段及び受信手段として機能する。
【００８２】
図３は、コンテンツパッケージサーバ１０２の構成を示すブロック図である。図３において、コンテンツパッケージサーバ１０２は、制御部３０１と、メモリ３０２と、固有情報記憶部３０３と、入力部３０４と、コンテンツ蓄積部３０５と、メモリカードインターフェース（以下、メモリカードＩ／Ｆという）部３０６と、送受信部３０７と、から主に構成される。
【００８３】
制御部３０１には、管理部３１１と変換部３１２が含まれ、変換部３１２には、コンテンツパッケージ部３１３と、鍵生成部３１４と、暗号処理部３１５と、が含まれている。
【００８４】
制御部３０１は、メモリ３０２に記憶された制御プログラムに基づいて、コンテンツパッケージサーバ１０２全体を統括制御する。また、制御部３０１は、入力部３０４から入力される固有情報発行指示に応じて、固有情報発行指示メッセージを送受信部３０７に出力して、送受信部３０７から通信ネットワーク１０５を介して固有情報発行・管理サーバ１０１に送信させる。その後、制御部３０１は、送受信部３０７により固有情報発行・管理サーバ１０１から受信されて入力された固有情報を固有情報記憶部３０３に記憶する。なお、制御部３０１は、制御手段として機能する。
【００８５】
管理部３１１は、コンテンツ蓄積部３０５に蓄積するフルコンテンツ本体の管理と、固有情報記憶部３０３に記憶した固有情報の管理等を行う。
【００８６】
変換部３１２は、メモリカード１０４に蓄積するデータ（フルコンテンツ）の生成を行う。コンテンツパッケージ部３１３は、コンテンツ蓄積部３０５からフルコンテンツ本体を読み出して暗号処理部３１５に出力する。鍵生成部３１４は、乱数生成等によりフルコンテンツ用タイトル鍵を生成して暗号処理部３１５に出力する。なお、鍵生成部３１４は、鍵生成手段として機能する。
【００８７】
暗号処理部３１５は、コンテンツパッケージ部３１３から入力されるフルコンテンツ本体を、鍵生成部３１４から入力されるフルコンテンツ用タイトル鍵を用いて暗号化してコンテンツ全体を生成するとともに、フルコンテンツ用タイトル鍵を固有情報記憶部３０３に記憶した固有情報に基づいて暗号化し、フルコンテンツ全体と、暗号化したフルコンテンツ用タイトル鍵をメモリカードＩ／Ｆ部３０６に出力する。なお、暗号処理部３１５は、暗号処理手段として機能する。
【００８８】
メモリ３０２は、ＲＯＭ（Read Only Memory）等の半導体メモリから構成され、コンテンツパッケージサーバ１０２全体を制御する制御プログラム等を記憶する。固有情報記憶部３０３は、制御部３０１により固有情報発行・管理サーバ１０１から取得した固有情報を記憶する。なお、固有情報記憶部３０３は、記憶手段として機能する。
【００８９】
入力部３０４は、固有情報発行指示を入力するための入力機能を有し、固有情報発行指示を制御部３０１に出力する。コンテンツ蓄積部３０５は、ハードディスク装置等の大容量記憶媒体から構成され、フルコンテンツ本体を蓄積してデータ保持部としての機能を実現する。
【００９０】
メモリカードＩ／Ｆ部３０６は、メモリカード１０４を着脱可能に接続するためのカードスロット（図示せず）と、メモリカード１０４との認証機能等を有する。なお、メモリカードＩ／Ｆ部３０６は、接続手段として機能する。
【００９１】
送受信部３０７は、通信ネットワーク１０５と有線接続するインターフェース機能を有し、制御部３０１から入力される固有情報発行指示メッセージを通信ネットワーク１０５を介して固有情報発行・管理サーバ１０１に送信するとともに、固有情報発行・管理サーバ１０１から送信される固有情報を受信して制御部３０１に出力する。
【００９２】
図４は、携帯情報端末装置１０３の構成を示すブロック図である。図４において、携帯情報端末装置１０３は、制御部４０１と、メモリ４０２と、固有情報記憶部４０３と、入力部４０４と、蓄積部４０５と、メモリカードＩ／Ｆ部４０６と、送受信部４０７と、再生部４０８と、音声出力部４０９と、画像出力部４１０と、から主に構成される。
【００９３】
制御部４０１には、管理部４２１と変換部４２２が含まれ、変換部４２２には、復号処理部４２３が含まれる。
【００９４】
制御部４０１は、メモリ４０２に記憶された制御プログラムに基づいて、携帯情報端末装置１０３全体を統括制御する。また、制御部４０１は、入力部４０４から入力される固有情報発行指示に応じて、固有情報発行指示メッセージを送受信部４０７に出力して、送受信部４０７から移動体通信ネットワーク１０６を介して固有情報発行・管理サーバ１０１に送信させる。その後、制御部４０１は、送受信部４０７により固有情報発行・管理サーバ１０１から受信されて入力された固有情報を固有情報記憶部４０３に記憶する。
【００９５】
管理部４２１は、蓄積部４０５に蓄積されたフルコンテンツ本体の再生を管理する。変換部４２２は、メモリカードＩ／Ｆ部４０６によりメモリカード１０４から読み出したデータ（コンテンツ全体と暗号化されたフルコンテンツ用タイトル鍵）を、携帯情報端末装置１０３内の蓄積部４０５に蓄積する形式に変換し、変換したデータ（コンテンツ全体と暗号化されたフルコンテンツ用タイトル鍵）を復号処理部４２３に出力する。
【００９６】
復号処理部４２３は、変換部４２２から入力されるデータに含まれる暗号化されたフルコンテンツ用タイトル鍵を、固有情報記憶部４０３から読み出す固有情報に基づいて復号化し、入力されたデータに含まれるコンテンツ全体を、復号化したフルコンテンツ用タイトル鍵を用いて復号化してフルコンテンツ本体を取り出して再生部４０８に出力する。なお、復号処理部４２３は、復号処理手段として機能する。
【００９７】
メモリ４０２は、ＲＯＭ等の半導体メモリから構成され、携帯情報端末装置１０３全体を制御する制御プログラム等を記憶する。固有情報記憶部４０３は、制御部４０１により固有情報発行・管理サーバ１０１から取得した固有情報を記憶する。なお、固有情報記憶部４０３は、記憶手段として機能する。
【００９８】
入力部４０４は、テンキーや各種ファンクションキー等から構成され、固有情報発行指示を入力して制御部４０１に出力する。蓄積部４０５は、半導体メモリ等の大容量記憶媒体から構成され、変換部４２２により形式が変換されたデータ（コンテンツ全体と暗号化されたフルコンテンツ用タイトル鍵）を蓄積する。
【００９９】
メモリカードＩ／Ｆ部４０６は、メモリカード１０４を着脱可能に接続するためのカードスロット（図示せず）と、メモリカード１０４との認証機能等を有する。なお、メモリカードＩ／Ｆ部４０６は、接続手段として機能する。
【０１００】
送受信部４０７は、移動体通信ネットワーク１０６と無線接続するインターフェース機能を有し、制御部４０１から入力される固有情報発行指示メッセージを移動体通信ネットワーク１０６を介して固有情報発行・管理サーバ１０１に送信するとともに、固有情報発行・管理サーバ１０１から送信される固有情報を受信して制御部４０１に出力する。
【０１０１】
再生部４０８は、復号処理部４２３により復号化されたフルコンテンツ本体に含まれる音声データと画像データをそれぞれＤ／Ａ変換等の再生処理を実行し、音声信号を音声出力部４０９に出力し、画像信号を画像出力部４１０に出力する。
【０１０２】
音声出力部４０９は、スピーカ（図示せず）等から構成され、再生部４０８から入力される音声信号をスピーカから出力する。画像出力部４１０は、液晶パネル（図示せず）等から構成され、再生部４０８から入力される画像信号に基づいて画像を液晶パネルに表示する。
【０１０３】
図５は、メモリカード１０４の構成を示すブロック図である。図５において、メモリカード１０４は、認証部５０１と、第１記憶部５０２と、第２記憶部５０３と、から構成される。
【０１０４】
認証部５０１は、メモリカード１０４がコンテンツパッケージサーバ１０２のメモリカードＩ／Ｆ部３０６に装着された時、又は携帯情報端末装置１０３のメモリカードＩ／Ｆ部４０６に装着された時、メモリカードＩ／Ｆ部３０６又はメモリカードＩ／Ｆ部４０６との間で相互認証処理を実行する。
【０１０５】
第１記憶部５０２は、半導体メモリ等の大容量記憶媒体から構成され、コンテンツパッケージサーバ１０２に装着された際に、コンテンツパッケージサーバ１０２において暗号化されたコンテンツ全体５１１を記憶する。
【０１０６】
なお、コンテンツ全体５１１は、図６に示すように、フルコンテンツ用タイトル鍵により暗号化されており、その内部にはフルコンテンツ本体５２１が含まれる。図６のコンテンツ全体５１１は、図７に示すように、携帯情報端末装置１０３内で復号化されたフルコンテンツ用タイトル鍵を用いて復号化することによりフルコンテンツ本体５２１となり、この状態で携帯情報端末装置１０３内の蓄積部４０５に蓄積される。
【０１０７】
第２記憶部５０３は、半導体メモリ等の記憶媒体から構成され、コンテンツパッケージサーバ１０２に装着された際に、コンテンツパッケージサーバ１０２により暗号化されたフルコンテンツ用タイトル鍵５１２を記憶する。
【０１０８】
次に、固有情報発行・管理サーバ１０１と、コンテンツパッケージサーバ１０２と、携帯情報端末装置１０３との間で実行される固有情報発行処理について、図８（ａ）〜（ｃ）に示すフローチャートを参照して説明する。
【０１０９】
図８（ｂ）において、コンテンツパッケージサーバ１０２は、入力部３０４により固有情報発行指示が入力されると、制御部３０１は、固有情報発行指示メッセージを送受信部３０７に出力し、送受信部３０７は、固有情報発行指示メッセージを通信ネットワーク１０５を介して固有情報発行・管理サーバ１０１に送出する（ステップＳ８０１）。
【０１１０】
また、図８（ｃ）において、携帯情報端末装置１０３は、入力部４０４により固有情報発行指示が入力されると、制御部４０１は、固有情報発行指示メッセージを送受信部４０７に出力し、送受信部４０７は、固有情報発行指示メッセージを移動体通信ネットワーク１０６を介して固有情報発行・管理サーバ１０１に送出する（ステップＳ８１１）。
【０１１１】
次に、図８（ａ）において、固有情報発行・管理サーバ１０１は、コンテンツパッケージサーバ１０２と携帯情報端末装置１０３からそれぞれ送信される固有情報発行指示メッセージを送受信部２０４により受信する（ステップＳ８２１）。送受信部２０４は、受信した各固有情報発行指示メッセージを管理部２０２に出力する。
【０１１２】
次に、管理部２０２は、送受信部２０４から入力される各固有情報発行指示メッセージに応じて、固有情報生成指示を固有情報生成部２０１に出力する。固有情報生成部２０１は、管理部２０２から入力される固有情報生成指示に応じて、コンテンツパッケージサーバ１０２と携帯情報端末装置１０３に共通の固有情報を生成し、生成した固有情報を管理部２０２に出力する（ステップＳ８２２）。
【０１１３】
管理部２０２は、固有情報生成部２０１から入力された固有情報を、コンテンツパッケージサーバ１０２と携帯情報端末装置１０３に送信する指示を送受信部２０４に出力する。送受信部２０４は、管理部２０２から入力される固有情報を、管理部２０２から送信指示に基づいて、通信ネットワーク１０５を介してコンテンツパッケージサーバ１０２に送信するとともに（ステップＳ８２３）、移動体通信ネットワーク１０６を介して携帯情報端末装置１０３に送信する（ステップＳ８２４）。
【０１１４】
また、管理部２０２は、生成した固有情報を固有情報蓄積部２０３に蓄積して（ステップＳ８２５）、本処理を終了する。
【０１１５】
次に、コンテンツパッケージサーバ１０２は、送受信部３０７により固有情報生成・管理サーバ１０１から送信された固有情報を受信する（ステップＳ８０２）。送受信部３０７は、受信した固有情報を制御部３０１に出力する。次いで、制御部３０１は、送受信部３０７から入力された固有情報を固有情報記憶部３０３に記憶して（ステップＳ８０３）、本処理を終了する。
【０１１６】
次に、携帯情報端末装置１０３は、送受信部４０７により固有情報生成・管理サーバ１０１から送信された固有情報が受信する（ステップＳ８１２）。送受信部３０７は、受信した固有情報を制御部４０１に出力する。次いで、制御部４０１は、送受信部４０７から入力された固有情報を固有情報記憶部４０３に記憶して（ステップＳ８１３）、本処理を終了する。
【０１１７】
以上の処理により、コンテンツパッケージサーバ１０２と携帯情報端末装置１０３には、固有情報発行・管理サーバ１０１により発行された固有情報が記憶されたことになる。
【０１１８】
次に、コンテンツパッケージサーバ１０２において実行されるコンテンツのメモリカード１０４への蓄積処理について、図９に示すフローチャートを参照して説明する。
【０１１９】
なお、この処理を説明する前提として、コンテンツパッケージサーバ１０２内のコンテンツ蓄積部３０５には、フルコンテンツ本体が蓄積されているものとする。
【０１２０】
コンテンツパッケージサーバ１０２は、メモリカードＩ／Ｆ部３０６にメモリカード１０４が装着されると、制御部３０１は、メモリカード１０４の装着を認識して、図９に示す一連の処理を制御する。
【０１２１】
図９において、鍵生成部３１４は、乱数生成等によりフルコンテンツ用タイトル鍵を生成して暗号処理部３１５に出力する（ステップＳ９０１）。また、コンテンツパッケージ部３１３は、コンテンツ蓄積部３０５からフルコンテンツ本体を読み出して暗号処理部３１５に出力する。
【０１２２】
暗号処理部３１５は、コンテンツパッケージ部３１３から入力されるフルコンテンツ本体を、鍵生成部３１４から入力されるフルコンテンツ用タイトル鍵を用いて暗号化してコンテンツ全体５１１を生成する（ステップＳ９０２）。また、暗号処理部３１５は、フルコンテンツ用タイトル鍵を固有情報記憶部３０３に記憶した固有情報に基づいて暗号化し（ステップＳ９０３）、コンテンツ全体５１１をメモリカードＩ／Ｆ部３０６に出力する。
【０１２３】
メモリカードＩ／Ｆ部３０６は、暗号処理部３１５から入力されたコンテンツ全体５１１をメモリカード１０４内の第１記憶部５０２に蓄積する（ステップＳ９０４）。
【０１２４】
次に、メモリカードＩ／Ｆ部３０６は、コンテンツパッケージサーバ１０２とメモリカード１０４内の認証部５０１との間で相互認証処理を行い、その相互認証結果を制御部３０１に出力する。制御部３０１は、メモリカードＩ／Ｆ部３０６から入力される相互認証結果に基づいて、コンテンツパッケージサーバ１０２とメモリカード１０４間の相互認証の成否を判別する（ステップＳ９０５）。
【０１２５】
制御部３０１は、相互認証が成功したと判別した場合は（ステップＳ９０５：ＹＥＳ）、暗号処理部３１５で暗号化されたフルコンテンツ用タイトル鍵５１２をメモリカードＩ／Ｆ部３０６からメモリカード１０４内の第２記憶部５０３に記憶して（ステップＳ９０６）、本処理を終了する。
【０１２６】
また、制御部３０１は、相互認証が失敗したと判別した場合は（ステップＳ９０５：ＮＯ）、フルコンテンツ用タイトル鍵のメモリカード１０４への記憶処理は実行せずに、本処理を終了する。
【０１２７】
以上の処理により、メモリカード１０４には、図５に示すように、フルコンテンツ用タイトル鍵を用いて暗号化されたコンテンツ全体５１１と、固有情報に基づいて暗号化されたフルコンテンツ用タイトル鍵５１２が記憶されたことになる。
【０１２８】
次に、携帯情報端末装置１０３において実行されるメモリカード１０４からのコンテンツの読込処理について、図１０に示すフローチャートを参照して説明する。
【０１２９】
図１０において、携帯情報端末装置１０３は、メモリカードＩ／Ｆ部４０６にメモリカード１０４が装着されると、メモリカードＩ／Ｆ部４０６によりメモリカード１０４内の認証部５０１との間で相互認証処理を実行し、その相互認証結果を制御部４０１に出力する。
【０１３０】
制御部４０１は、メモリカードＩ／Ｆ部４０６から入力される相互認証結果に基づいて、携帯情報端末装置１０３とメモリカード１０４間の相互認証の成否を判別する（ステップＳ１００１）。制御部３０１は、相互認証が成功したと判別した場合は（ステップＳ１００１：ＹＥＳ）、メモリカードＩ／Ｆ部４０６によりメモリカード１０４内の第２記憶部５０３に記憶されたフルコンテンツ用タイトル鍵５１２を読み込む（ステップＳ１００２）。
【０１３１】
制御部４０１は、メモリカードＩ／Ｆ部４０６から入力されたフルコンテンツ用タイトル鍵５１２を変換部４２２に出力する。変換部４２２は、制御部４０１から入力された暗号化されたフルコンテンツ用タイトル鍵５１２を、携帯情報端末装置１０３内の蓄積部４０５に蓄積する形式に変換し、変換したフルコンテンツ用タイトル鍵５１２を復号処理部４２３に出力する。
【０１３２】
復号処理部４２３は、変換部４２２から入力された暗号化されたフルコンテンツ用タイトル鍵５１２を、固有情報記憶部４０３から読み出した固有情報に基づいて復号化する（ステップＳ１００３）。
【０１３３】
次に、制御部４０１は、メモリカードＩ／Ｆ部４０６によりメモリカード１０４内の第１記憶部５０２からコンテンツ全体５１１を読み出す（ステップＳ１００４）。制御部４０１は、メモリカードＩ／Ｆ部４０６から入力されたコンテンツ全体５１１を変換部４２２に出力する。変換部４２２は、制御部４０１から入力されたコンテンツ全体５１１を、携帯情報端末装置１０３内の蓄積部４０５に蓄積する形式に変換し、変換したコンテンツ全体５１１を復号処理部４２３に出力する。
【０１３４】
復号処理部４２３は、変換部４２２から入力されたコンテンツ全体５１１を、復号化したフルコンテンツ用タイトル鍵を用いて復号化し、フルコンテンツ本体５２１（図６，図７参照）とする（ステップＳ１００５）。次に、制御部４０１は、復号処理部４２３により復号化されたフルコンテンツ本体を蓄積部４０５に蓄積して（ステップＳ１００６）、本処理を終了する。
【０１３５】
また、制御部４０１は、ステップＳ１００１において、相互認証が失敗したと判別した場合は（ステップＳ１００１：ＮＯ）、以後の処理を実行せずに、本処理を終了する。
【０１３６】
以上の処理により、携帯情報端末装置１０３内にはフルコンテンツ本体５２１が蓄積されたことになる。
【０１３７】
次に、携帯情報端末装置１０３において実行されるコンテンツ再生処理について、図１１に示すフローチャートを参照して説明する。
【０１３８】
図１１において、携帯情報端末装置１０３内の制御部４０１は、入力部４０４からコンテンツの再生指示が入力されると、蓄積部４０５からフルコンテンツ本体５２１を取得して再生部４０８に出力する（ステップＳ１１０１）。
【０１３９】
次に、再生部４０８は、制御部４０１から入力されたフルコンテンツ本体５２１に含まれる音声データと画像データをそれぞれＤ／Ａ変換等の再生処理を実行し（ステップＳ１１０２）、音声信号を音声出力部４０９に出力し、画像信号を画像出力部４１０に出力して、本処理を終了する。
【０１４０】
以後、音声出力部４０９は、再生部４０８から入力される音声信号をスピーカから出力する。画像出力部４１０は、再生部４０８から入力される画像信号に基づいて画像を液晶パネルに表示する。
【０１４１】
以上のように、本実施の形態１のコンテンツ処理システム１００では、固有状発行・管理サーバ１０１がコンテンツパッケージサーバ１０２と携帯情報端末装置１０３に対して、共通の固有情報を発行して管理し、コンテンツパッケージサーバ１０２は、生成したフルコンテンツ用タイトル鍵５１２を用いてフルコンテンツ本体５２１を暗号化してメモリカード１０４に記憶するとともに、固有情報に基づいてフルコンテンツ用タイトル鍵５１２を暗号化してメモリカード１０４に蓄積するようにした。
【０１４２】
また、本実施の形態１のコンテンツ処理システム１００では、携帯情報端末装置１０３は、メモリカードＩ／Ｆ部４０６に装着されたメモリカード１０４に記憶された暗号化されたフルコンテンツ用タイトル鍵５１２を固有情報に基づいて復号化し、メモリカード１０４に記憶されたフルコンテンツ全体を、復号化したフルコンテンツ用タイトル鍵５１２を用いて復号化して携帯情報端末装置１０３内に蓄積するようにした。
【０１４３】
したがって、本実施の形態１のコンテンツ処理システムでは、固有情報発行・管理サーバにより発行される固有情報に基づいて、メモリカードに蓄積するコンテンツ全体を暗号化するフルコンテンツ用タイトル鍵を暗号化するようにしたため、コンテンツパッケージサーバを運用するコンテンツパッケージ販売者は、固有情報を記憶した携帯情報端末装置に向けてメモリカードを販売することができる。
【０１４４】
また、本実施の形態１のコンテンツ処理システムでは、固有情報を記憶した携帯情報端末装置のユーザ、すなわち、特定機器のユーザは、フルコンテンツ用タイトル鍵とフルコンテンツ全体（権利データなしで再生可能なフル平文コンテンツ）が蓄積されたメモリカードを直接購入するため、コンテンツパッケージ販売者は、蓄積メディアであるメモリカードの容量を活用して、大容量コンテンツをサーバからの配信時間を必要とすることなく、パッケージ販売することができる。その結果、移動体通信ネットワーク等の通信容量の小さい通信を利用するユーザに対してもパッケージ販売を実現することができる。
【０１４５】
また、本実施の形態１のパッケージ販売システムでは、固有情報発行・管理サーバにより固有情報を発行・管理するようにしたため、固有情報発行者がサービスに応じて様々な固有情報を発行することができ、特定の機器向けに様々なサービスを提供することができる。
【０１４６】
その結果、コンテンツパッケージサーバを運用してメモリカードを販売するコンテンツ販売業者は、特定機器向けのパッケージ販売を実現することができるとともに、様々なサービスを提供することができる。
【０１４７】
また、上記実施の形態１では、権利データなしで再生可能なフルコンテンツをパッケージ販売する場合を示したが、その他のパッケージ販売形態として、例えば、フル暗号化コンテンツと再生制限なしの権利データを格納したメモリカードを販売するようにしてもよい。この場合、上記効果に加えて、さらに暗号化コンテンツの超流通により、広告効果を高めることができる。
【０１４８】
（実施の形態２）
上記実施の形態１では、フルコンテンツ全体を暗号化するフルコンテンツ用タイトル鍵を固有情報に基づいて暗号化してメモリカードに蓄積し、固有情報を記憶した特定の機器に向けてパッケージ販売を実現する場合を示した。
【０１４９】
本実施の形態２では、試聴コンテンツ全体及び試聴コンテンツ用権利データを暗号化する各タイトル鍵を固有情報に基づいて暗号化してメモリカードに蓄積し、固有情報を記憶した特定の機器向けにメモリカードを配布して、ユーザが試聴コンテンツを試聴後にサーバからフルコンテンツを購入可能にする場合について説明する。
【０１５０】
なお、本実施の形態２のコンテンツ処理システムに適用する固有情報発行・管理サーバの構成は、上記図２に示したものと同一であるため、その図示及び構成説明は省略する。
【０１５１】
図１２は、本実施の形態２のコンテンツ処理システム１２００の構成を示す図である。図１２において、コンテンツ処理システム１２００は、固有情報発行・管理サーバ１０１と、コンテンツパッケージサーバ１２０１と、コンテンツ・権利データサーバ１２０２と、携帯情報端末装置１２０３，１２０４と、メモリカード１２０５と、から構成される。なお、コンテンツ・権利データサーバ１２０２は、データサーバとして機能する。
【０１５２】
また、図１２において、固有情報発行・管理サーバ１０１とコンテンツパッケージサーバ１２０１は、通信ネットワーク１０５を介して接続され、固有情報発行・管理サーバ１０１と携帯情報端末装置１２０３は、移動体通信ネットワーク１０６を介して接続される。また、コンテンツパッケージサーバ１２０１とコンテンツ・権利データサーバ１２０２は、通信ネットワーク１２０６を介して接続され、コンテンツ・権利データサーバ１２０２と携帯情報端末装置１２０３と携帯情報端末装置１２０４は、移動体通信ネットワーク１０６を介して相互に接続される。
【０１５３】
図１３は、コンテンツパッケージサーバ１２０１の構成を示すブロック図である。図１３において、コンテンツパッケージサーバ１２０１は、制御部１３０１と、メモリ１３０２と、固有情報記憶部１３０３と、入力部１３０４と、コンテンツ蓄積部１３０５と、メモリカードＩ／Ｆ部１３０６と、コンテンツ・権利データＩ／Ｆ部１３０７と、送受信部１３０８と、から主に構成される。
【０１５４】
制御部１３０１には、管理部１３１１と、変換部１３１２が含まれ、変換部１３１２には、コンテンツパッケージ部１３１３と、権利データ生成部１３１４と、鍵生成部１３１５と、暗号処理部１３１６と、が含まれる。
【０１５５】
制御部１３０１は、メモリ１３０２に記憶された制御プログラムに基づいて、コンテンツパッケージサーバ１２０１全体を統括制御する。また、制御部１３０１は、入力部１３０４から入力される固有情報発行指示に応じて、固有情報発行指示メッセージを送受信部１３０８に出力して、送受信部１３０８から通信ネットワーク１０５を介して固有情報発行・管理サーバ１０１に送信させる。その後、制御部１３０１は、送受信部１３０８により固有情報発行・管理サーバ１０１から受信されて入力された固有情報を固有情報記憶部１３０３に記憶する。
【０１５６】
管理部１３１１は、コンテンツ蓄積部１３０５に蓄積するフルコンテンツ本体の管理と、固有情報記憶部１３０３に記憶した固有情報の管理と、試聴コンテンツ及びフルコンテンツにそれぞれ対応する権利データの管理と、フルコンテンツに対応するコンテンツＩＤの付与の管理等を行う。
【０１５７】
変換部１３１２は、メモリカード１２０５に蓄積するデータ（試聴コンテンツのコンテンツ本体）を生成するとともに、コンテンツ・権利データサーバ１２０２に提供するデータ（フルコンテンツのコンテンツ本体）を生成する。
【０１５８】
コンテンツパッケージ部１３１３は、コンテンツ蓄積部１３０５からフルコンテンツ本体を読み出して暗号処理部１３１６に出力するとともに、暗号処理部１３１６で暗号化された試聴コンテンツのコンテンツ本体に対してコンテンツＩＤ、コンテンツ関連情報、コンテンツ取得ＵＲＬ（Uniform Resource Locator）、及び権利データ取得ＵＲＬを付与し、フルコンテンツに対してコンテンツＩＤ、コンテンツ関連情報、及びコンテンツ取得ＵＲＬを付与してパッケージングする。なお、コンテンツパッケージ部１３１３は、パッケージ手段として機能する。
【０１５９】
権利データ生成部１３１４は、試聴コンテンツ用権利データとフルコンテンツ用権利データを生成する。権利データ生成部１３１４は、権利データ生成手段として機能する。鍵生成部１３１５は、乱数生成等により試聴コンテンツ用コンテンツ復号鍵、フルコンテンツ用コンテンツ復号鍵、試聴コンテンツ用タイトル鍵、及び試聴コンテンツ用の権利データ用タイトル鍵を生成する。
【０１６０】
暗号処理部１３１６は、コンテンツ蓄積部１３０５から読み出した試聴コンテンツのコンテンツ本体を試聴コンテンツ用コンテンツ復号鍵で暗号化し、フルコンテンツのコンテンツ本体をフルコンテンツ用コンテンツ復号鍵で暗号化し、試聴コンテンツ全体を試聴コンテンツ用タイトル鍵で暗号化し、試聴コンテンツ用権利データ全体を権利データ用タイトル鍵で暗号化し、試聴コンテンツ全体を暗号化した試聴コンテンツ用タイトル鍵を固有情報に基づいて暗号化し、試聴コンテンツ用権利データ全体を暗号化した権利データ用タイトル鍵を固有情報に基づいて暗号化する。
【０１６１】
メモリ１３０２は、ＲＯＭ等の半導体メモリから構成され、コンテンツパッケージサーバ１２０１全体を制御する制御プログラム等を記憶する。固有情報記憶部１３０３は、制御部１３０１により固有情報発行・管理サーバ１０１から取得した固有情報を記憶する。
【０１６２】
入力部１３０４は、固有情報発行指示を入力するための入力機能を有し、固有情報発行指示を制御部１３０１に出力する。コンテンツ蓄積部１３０５は、ハードディスク装置等の大容量記憶媒体から構成され、フルコンテンツのコンテンツ本体と試聴コンテンツのコンテンツ本体を蓄積してデータ保持部としての機能を実現する。
【０１６３】
メモリカードＩ／Ｆ部１３０６は、メモリカード１２０５を着脱可能に接続するためのカードスロット（図示せず）と、メモリカード１２０５との認証機能等を有する。
【０１６４】
コンテンツ・権利データＩ／Ｆ部１３０７は、通信ネットワーク１２０６を介してコンテンツ・権利データサーバ１２０２にフルコンテンツとフルコンテンツ用権利データを送信する。
【０１６５】
送受信部１３０８は、通信ネットワーク１０５と接続するインターフェース機能を有し、制御部１３０１から入力される固有情報発行指示メッセージを通信ネットワーク１０５を介して固有情報発行・管理サーバ１０１に送信するとともに、固有情報発行・管理サーバ１０１から送信される固有情報を受信して制御部１３０１に出力する。
【０１６６】
図１４は、コンテンツ・権利データサーバ１２０２の構成を示すブロック図である。図１４において、コンテンツ・権利データサーバ１２０２は、制御部１４０１と、メモリ１４０２と、コンテンツ・権利データ蓄積部１４０３と、課金データ蓄積部１４０４と、コンテンツ・権利データＩ／Ｆ部１４０５と、送受信部１４０６と、から主に構成される。
【０１６７】
制御部１４０１には、管理部１４１１と、課金処理部１４１２が含まれ、送受信部１４０６には、移動体通信用のアンテナ１４０７が接続されている。
【０１６８】
制御部１４０１は、メモリ１４０２に記憶された制御プログラムに基づいて、コンテンツ・権利データサーバ１２０２全体を統括制御する。管理部１４１１は、携帯情報端末装置１２０３からのフルコンテンツとフルコンテンツ用権利データの取得要求に応じて、権利データの種類、販売条件、価格等を提示して、携帯情報端末装置１２０３にフルコンテンツとフルコンテンツ用権利データを提供（販売）する。
【０１６９】
課金処理部１４１２は、フルコンテンツとフルコンテンツ用権利データの販売に関する課金処理を実行し、課金処理結果を課金データ蓄積部１４０４に格納する。
【０１７０】
メモリ１４０２は、ＲＯＭ等の半導体メモリから構成され、コンテンツ・権利データサーバ１２０２全体を制御する制御プログラム等を記憶する。
【０１７１】
コンテンツ・権利データ蓄積部１４０３は、ハードディスク装置等の大容量記憶媒体から構成され、コンテンツパッケージサーバ１２０１から提供されたフルコンテンツとフルコンテンツ用権利データを格納して、データ保持部としての機能を実現する。
【０１７２】
課金データ蓄積部１４０４は、ハードディスク装置等の大容量記憶媒体から構成され、フルコンテンツとフルコンテンツ用権利データの販売に関する課金処理結果を格納して、課金データ保持部としての機能を実現する。
【０１７３】
コンテンツ・権利データＩ／Ｆ部１４０５は、通信ネットワーク１２０６を介してコンテンツパッケージサーバ１２０１からフルコンテンツとフルコンテンツ用権利データを受信する。
【０１７４】
送受信部１４０６は、移動体通信ネットワーク１０６と無線接続するインターフェース機能を有し、携帯情報端末装置１２０３から送信されるフルコンテンツとフルコンテンツ用権利データの取得要求をアンテナ１４０７により受信して管理部１４１１に出力し、管理部１４１１から入力される権利データの種類、販売条件、価格等の提示情報をアンテナ１４０７から携帯情報端末装置１２０３に送信する。
【０１７５】
また、送受信部１４０６は、携帯情報端末装置１２０３から提示情報に基づく購入指示を受信して管理部１４１１に出力し、管理部１４１１から入力されるフルコンテンツとフルコンテンツ用権利データを携帯情報端末装置１２０３に送信する。なお、送受信部１４０６は、受信手段と送信手段として機能する。
【０１７６】
図１５は、携帯情報端末装置１２０３の構成を示すブロック図である。なお、携帯情報端末装置１２０４も同様の構成を有するものとする。図１５において、携帯情報端末装置１２０３は、制御部１５０１と、メモリ１５０２と、固有情報記憶部１５０３と、入力部１５０４と、蓄積部１５０５と、メモリカードＩ／Ｆ部１５０６と、送受信部１５０７と、再生部１５０８と、音声出力部１５０９と、画像出力部１５１０と、から主に構成される。
【０１７７】
制御部１５０１には、ダウンロード部１５１１と、管理部１５１２と、変換部１５１３とが含まれ、管理部１５１２には、権利データ解釈部１５１４と、復号処理部１５１５が含まれ、変換部１５１３には、復号処理部１５１６が含まれる。
【０１７８】
制御部１５０１は、メモリ１５０２に記憶された制御プログラムに基づいて、携帯情報端末装置１２０３全体を統括制御する。また、制御部１５０１は、入力部１５０４から入力される固有情報発行指示に応じて、固有情報発行指示メッセージを送受信部１５０７に出力して、送受信部１５０７から移動体通信ネットワーク１０６を介して固有情報発行・管理サーバ１０１に送信させる。その後、制御部１５０１は、送受信部１５０７により固有情報発行・管理サーバ１０１から受信されて入力された固有情報を固有情報記憶部１５０３に記憶する。
【０１７９】
ダウンロード部１５１１は、制御部１５０１から入力されるコンテンツ取得ＵＲＬ及び権利データ取得ＵＲＬに基づいて、フルコンテンツとフルコンテンツ用権利データの取得要求を送受信部１５０７を介してコンテンツ・権利データサーバ１２０２に送信し、コンテンツ・権利データサーバ１２０２から送信されるフルコンテンツとフルコンテンツ用権利データを送受信部１５０７を介して受信する。
【０１８０】
管理部１５１２は、試聴コンテンツ用権利データに応じた試聴コンテンツの再生処理と、フルコンテンツ用権利データな応じたフルコンテンツの再生処理を行う。変換部１５１３は、メモリカード１２０５から読み出したデータ（試聴コンテンツ、試聴コンテンツ用権利データ）を携帯情報端末装置１２０３内に蓄積する形式に変換する。
【０１８１】
権利データ解釈部１５１４は、試聴コンテンツ用権利データに設定された試聴コンテンツの再生制限を解釈し、試聴コンテンツの再生に応じて試聴コンテンツ用権利データの更新（残り再生回数等）を行う。なお、権利データ解釈部１５１４は、権利データ解釈手段として機能する。
【０１８２】
管理部１５１２内の復号処理部１５１５は、試聴コンテンツのコンテンツ本体を試聴コンテンツ用コンテンツ復号鍵で復号化し、フルコンテンツのコンテンツ本体をフルコンテンツ用コンテンツ復号鍵で復号化する。また、管理部１５１２は、試聴コンテンツの再生に際して、試聴コンテンツ用権利データに設定された再生制限に基づいて試聴処理を行う。なお、管理部１５１２は、試聴処理手段として機能する。
【０１８３】
変換部１５１３内の復号処理部１５１６は、試聴コンテンツ全体を暗号化した試聴コンテンツ用タイトル鍵を固有情報に基づいて復号化し、試聴コンテンツ用権利データ全体を暗号化した試聴コンテンツ用の権利データ用タイトル鍵を固有情報に基づいて復号化し、試聴コンテンツ全体を復号化した試聴コンテンツ用タイトル鍵を用いて復号化し、試聴コンテンツ用権利データ全体を復号化した権利データ用タイトル鍵を用いて復号化する。
【０１８４】
メモリ１５０２は、ＲＯＭ等の半導体メモリから構成され、携帯情報端末装置１２０３全体を制御する制御プログラム等を記憶する。固有情報記憶部１５０３は、制御部１５０１により固有情報発行・管理サーバ１０１から取得した固有情報を記憶する。
【０１８５】
入力部１５０４は、テンキーや各種ファンクションキー等から構成され、固有情報発行指示を入力して制御部１５０１に出力する。メモリカードＩ／Ｆ部１５０６は、メモリカード１２０５を着脱可能に接続するためのカードスロット（図示せず）と、メモリカード１２０５との認証機能等を有する。
【０１８６】
送受信部１５０７は、移動体通信ネットワーク１０６と無線接続するインターフェース機能を有し、制御部１５０１から入力される固有情報発行指示メッセージを移動体通信ネットワーク１０６を介して固有情報発行・管理サーバ１０１に送信するとともに、固有情報発行・管理サーバ１０１から送信される固有情報を受信して制御部１５０１に出力する。
【０１８７】
また、送受信部１５０７は、ダウンロード部１５１１から入力されるコンテンツ取得ＵＲＬに基づいてコンテンツ・権利データサーバ１２０２にアクセスし、フルコンテンツとフルコンテンツ用権利データの取得要求を送信し、コンテンツ・権利データサーバ１２０２から送信される権利データリストを受信してダウンロード部１５１１に出力する。
【０１８８】
また、送受信部１５０７は、ダウンロード部１５１１から入力される権利データ選択情報をコンテンツ・権利データサーバ１２０２に送信し、コンテンツ・権利データサーバ１２０２から送信されたフルコンテンツとフルコンテンツ用権利データを受信してダウンロード部１５１１に出力する。
【０１８９】
再生部１５０８は、復号処理部１５１５により復号化された試聴コンテンツのコンテンツ本体、又はフルコンテンツのコンテンツ本体に含まれる音声データと画像データをそれぞれＤ／Ａ変換等の再生処理を実行し、音声信号を音声出力部１５０９に出力し、画像信号を画像出力部１５１０に出力する。
【０１９０】
音声出力部１５０９は、スピーカ（図示せず）等から構成され、再生部１５０８から入力される音声信号をスピーカから出力する。画像出力部１５１０は、液晶パネル（図示せず）等から構成され、再生部１５０８から入力される画像信号に基づいて画像を液晶パネルに表示する。
【０１９１】
図１６は、メモリカード１２０５の構成を示すブロック図である。図１６において、メモリカード１２０５は、認証部１６０１と、第１記憶部１６０２と、第２記憶部１６０３と、から構成される。
【０１９２】
認証部１６０１は、メモリカード１２０５がコンテンツパッケージサーバ１２０１のメモリカードＩ／Ｆ部１３０６に装着された時、又は携帯情報端末装置１２０３のメモリカードＩ／Ｆ部１５０６に装着された時、メモリカードＩ／Ｆ部１３０６又はメモリカードＩ／Ｆ部１５０６との間で相互認証処理を実行する。
【０１９３】
第１記憶部１６０２は、半導体メモリ等の大容量記憶媒体から構成され、コンテンツパッケージサーバ１２０１に装着された際に、コンテンツパッケージサーバ１２０１において暗号化された試聴コンテンツ全体１６１１と試聴コンテンツ用権利データ１６１２を記憶する。
【０１９４】
第２記憶部１６０３は、半導体メモリ等の記憶媒体から構成され、コンテンツパッケージサーバ１２０１に装着された際に、コンテンツパッケージサーバ１２０１により暗号化された試聴コンテンツ用タイトル鍵１６１３と権利データ用タイトル鍵１６１４を記憶する。
【０１９５】
なお、メモリカード１２０５内の第１記憶部１６０２に記憶された試聴コンテンツ全体１６１１は、図１７に示すように、試聴コンテンツ用タイトル鍵により暗号化されており、その内部には試聴コンテンツ用コンテンツ復号鍵を用いて暗号化されたコンテンツ本体１７０１と、試聴コンテンツのコンテンツ本体に対するコンテンツＩＤ１７０２と、コンテンツ関連情報１７０３と、フルコンテンツの取得先を示すコンテンツ取得ＵＲＬ１７０４と、フルコンテンツの権利データの取得先を示す権利データ取得ＵＲＬ１７０５と、を含む試聴コンテンツパッケージ１７１０が含まれる。
【０１９６】
図１７の試聴コンテンツ全体１６１１は、図１８に示すように、携帯情報端末装置１２０３内で復号化された試聴コンテンツ用タイトル鍵を用いて復号化することにより試聴コンテンツパッケージ１７１０となり、この状態で携帯情報端末装置１２０３内の蓄積部１５０５に蓄積される。
【０１９７】
また、メモリカード１２０５内の第１記憶部１６０２に記憶された試聴コンテンツ用権利データ全体１６１２には、図１９に示すように、権利データ用タイトル鍵により暗号化されており、その内部には暗号化された試聴コンテンツ用コンテンツ復号鍵１９０１と、権利データＩＤ１９０２と、試聴コンテンツと対応を取るコンテンツＩＤ１９０３と、コンテンツ関連情報１９０４、及びコンテンツ再生制限１９０５を含む試聴コンテンツ用権利データ本体１９１０が含まれる。
【０１９８】
なお、コンテンツ再生制限１９０５には、試聴コンテンツの「再生回数制限」、「再生期間制限」等が設定されるものとする。
【０１９９】
図１９の試聴コンテンツ用権利データ全体１６１２は、図２０に示すように、携帯情報端末装置１２０３内に読み込み後は、権利データ用タイトル鍵を用いて復号化することにより試聴コンテンツ用権利データ本体１９１０となる。
【０２００】
次に、コンテンツパッケージサーバ１２０１において実行されるコンテンツパッケージ処理について、図２１，２２に示すフローチャートを参照して説明する。
【０２０１】
なお、この処理を説明する前提として、コンテンツパッケージサーバ１２０１内の固有情報記憶部１３０３には、実施の形態１の図８に示した固有情報発行処理により固有情報発行・管理サーバ１０１から発行された固有情報が記憶されているものとする。
【０２０２】
また、コンテンツパッケージサーバ１２０１内のコンテンツ蓄積部１３０５には、変換部１３１２により生成されたフルコンテンツ及び試聴コンテンツの各コンテンツ本体が蓄積されているものとする。
【０２０３】
図２１において、コンテンツパッケージサーバ１２０１内の鍵生成部１３１５は、乱数生成等により試聴コンテンツ用コンテンツ復号鍵を生成して暗号処理部１３１６に出力する（ステップＳ２１０１）。暗号処理部１３１６は、コンテンツ蓄積部１３０５から読み出した試聴コンテンツのコンテンツ本体を、鍵生成部１３１５から入力された試聴コンテンツ用コンテンツ復号鍵を用いて暗号化してコンテンツパッケージ部１３１３に出力する（ステップＳ２１０２）。
【０２０４】
次に、コンテンツパッケージ部１３１３は、暗号処理部１３１６から入力された暗号化された試聴コンテンツのコンテンツ本体１７０１（図１７参照）に対して、図１７に示すコンテンツＩＤ１７０２、コンテンツ関連情報１７０３、コンテンツ取得ＵＲＬ１７０４、及び権利データ取得ＵＲＬ１７０５を付与して、試聴コンテンツパッケージ１７１０を生成して暗号処理部１３１６に出力する（ステップＳ２１０３）。
【０２０５】
次に、鍵生成部１３１５は、乱数生成等により試聴コンテンツ用タイトル鍵を生成して暗号処理部１３１６に出力する（ステップＳ２１０４）。暗号処理部１３１６は、コンテンツパッケージ部１３１３から入力された試聴コンテンツパッケージ１７１０を、鍵生成部１３１５から入力された試聴コンテンツ用タイトル鍵を用いて暗号化して試聴コンテンツ全体１６１１（図１７参照）を生成する（ステップＳ２１０５）。
【０２０６】
次に、暗号処理部１３１６は、試聴コンテンツ用タイトル鍵を、固有情報記憶部１３０３に記憶した固有情報に基づいて暗号化する（ステップＳ２１０６）。次に、権利データ生成部１３１４は、試聴コンテンツ用権利データを生成して暗号処理部１３１６に出力し（ステップＳ２１０７）、鍵生成部１３１５は、試聴コンテンツ用の権利データ用タイトル鍵を生成して暗号処理部１３１６に出力する（ステップＳ２１０８）。
【０２０７】
次に、暗号処理部１３１６は、権利データ生成部１３１４から入力された試聴コンテンツ用権利データを、鍵生成部１３１５から入力された試聴コンテンツ用の権利データ用タイトル鍵を用いて暗号化するとともに（ステップＳ２１０９）、試聴コンテンツ用の権利データ用タイトル鍵を固有情報記憶部１３０３に記憶した固有情報に基づいて暗号化する（ステップＳ２１１０）。
【０２０８】
次に、制御部１３０１は、暗号処理部１３１６で暗号化された試聴コンテンツ全体１６１１をメモリカードＩ／Ｆ部１３０６を介してメモリカード１２０５内の第１記憶部１６０２に蓄積するとともに（ステップＳ２１１１）、暗号処理部１３１６で暗号化された試聴コンテンツ用権利データ１６１２（図１６参照）をメモリカードＩ／Ｆ部１３０６を介してメモリカード１２０５内の第１記憶部１６０２に蓄積する（ステップＳ２１１２）。
【０２０９】
次に、メモリカードＩ／Ｆ部１３０６は、コンテンツパッケージサーバ１２０１とメモリカード１２０５内の認証部１６０１との間で相互認証処理を行い、その相互認証結果を制御部１３０１に出力する。制御部１３０１は、メモリカードＩ／Ｆ部１３０６から入力される相互認証結果に基づいて、コンテンツパッケージサーバ１２０１とメモリカード１２０５間の相互認証の成否を判別する（ステップＳ２１１３）。
【０２１０】
制御部１３０１は、相互認証が成功したと判別した場合は（ステップＳ２１１３：ＹＥＳ）、暗号処理部１３１６で暗号化された試聴コンテンツ用タイトル鍵１６１３（図１６参照）をメモリカードＩ／Ｆ部１３０６を介してメモリカード１２０５内の第２記憶部１６０３に蓄積する（ステップＳ２１１４）。
【０２１１】
次に、制御部１３０１は、暗号処理部１３１６で暗号化された試聴コンテンツの権利データ用タイトル鍵１６１４（図１６参照）をメモリカードＩ／Ｆ部１３０６を介してメモリカード１２０５内の第２記憶部１６０３に蓄積する（ステップＳ２１１５）。
【０２１２】
次に、鍵生成部１３１５は、フルコンテンツ用コンテンツ復号鍵を生成して暗号処理部１３１６に出力する（ステップＳ２１１６）。暗号処理部１３１６は、コンテンツ蓄積部１３０５からフルコンテンツのコンテンツ本体を読み出し、鍵生成部１３１５から入力されたフルコンテンツ用コンテンツ復号鍵を用いて暗号化してコンテンツパッケージ部１３１３に出力する（ステップＳ２１１７）。
【０２１３】
コンテンツパッケージ部１３１３は、暗号処理部１３１６から入力された暗号化されたフルコンテンツのコンテンツ本体に対してコンテンツＩＤ、コンテンツ関連情報、及び権利データ取得ＵＲＬを付与して、フルコンテンツパッケージを生成して制御部１３０１に出力する（ステップＳ２１１８）。
【０２１４】
制御部１３０１は、コンテンツパッケージ部１３１３から入力されたフルコンテンツパッケージをコンテンツ・権利データＩ／Ｆ部１３０７を介してコンテンツ・権利データサーバ１２０２に送信する（ステップＳ２１１９）。
【０２１５】
次に、権利データ生成部１３１４は、フルコンテンツ用コンテンツ復号鍵を生成して制御部１３０１に出力する（ステップＳ２１２０）。制御部１３０１は、権利データ生成部１３１４から入力されたフルコンテンツ用コンテンツ復号鍵をコンテンツ・権利データＩ／Ｆ部１３０７を介してコンテンツ・権利データサーバ１２０２に送信して（ステップＳ２１２１）、本処理を終了する。
【０２１６】
また、ステップＳ２１１３において、制御部１３０１は、相互認証が失敗したと判別した場合は（ステップＳ２１１３：ＮＯ）、本処理を終了する。
【０２１７】
次に、上記コンテンツパッケージサーバ１２０１の処理に応じてコンテンツ・権利データサーバ１２０２において実行される蓄積処理について、図２３に示すフローチャートを参照して説明する。
【０２１８】
図２３において、コンテンツ・権利データサーバ１２０２内のコンテンツ・権利データＩ／Ｆ部１４０５は、コンテンツパッケージサーバ１２０１から送信されるフルコンテンツパッケージを受信して制御部１４０１に出力する（ステップＳ２３０１）。制御部１４０１は、コンテンツ・権利データＩ／Ｆ部１４０５から入力されるフルコンテンツパッケージをコンテンツ・権利データ蓄積部１４０３に蓄積する（ステップＳ２３０２）。
【０２１９】
次に、コンテンツ・権利データＩ／Ｆ１４０５は、コンテンツパッケージサーバ１２０１から送信されるフルコンテンツ用コンテンツ復号鍵を受信して制御部１４０１に出力する（ステップＳ２３０３）。制御部１４０１は、コンテンツ・権利データＩ／Ｆ１４０５から入力されるフルコンテンツ用コンテンツ復号鍵をコンテンツ・権利データ蓄積部１４０３に蓄積して（ステップＳ２３０４）、本処理を終了する。
【０２２０】
以上の処理により、メモリカード１２０５内の第１記憶部１６０２には、図１７に示す暗号化された試聴コンテンツのコンテンツ本体１７０１に、コンテンツＩＤ１７０２、コンテンツ関連情報１７０３、コンテンツ取得ＵＲＬ１７０４、及び権利データ取得ＵＲＬ１７０５を付与した試聴コンテンツパッケージ１７１０を蓄積し、更に、この試聴コンテンツパッケージ１７１０を試聴コンテンツ用タイトル鍵で暗号化した試聴コンテンツ全体１６１１と、暗号化した試聴コンテンツ用権利データ１６１２と、が蓄積されたことになる。
【０２２１】
また、メモリカード１２０５内の第２記憶部１６０３には、暗号化された試聴コンテンツ用タイトル鍵１６１３と、暗号化された権利データ用タイトル鍵１６１４が記憶される。その結果、図１６に示す試聴コンテンツを低料金または無料で配布するためのメモリカード１２０５となる。また、コンテンツ・権利データサーバ１２０２では、販売用のフルコンテンツパッケージとフルコンテンツ用コンテンツ復号鍵の蓄積が完了する。
【０２２２】
次に、携帯情報端末装置１２０３において実行されるメモリカード１２０５からの試聴コンテンツ読込処理について、図２４に示すフローチャートを参照して説明する。
【０２２３】
図２４において、携帯情報端末装置１２０３は、メモリカードＩ／Ｆ部１５０６にメモリカード１２０５が装着されると、メモリカードＩ／Ｆ部１５０６によりメモリカード１２０５内の認証部１６０１との間で相互認証処理を実行し、その相互認証結果を制御部１５０１に出力する。
【０２２４】
制御部１５０１は、メモリカードＩ／Ｆ部１５０６から入力される相互認証結果に基づいて、携帯情報端末装置１２０３とメモリカード１２０５間の相互認証の成否を判別する（ステップＳ２４０１）。制御部１５０１は、相互認証が成功したと判別した場合は（ステップＳ２４０１：ＹＥＳ）、メモリカードＩ／Ｆ部１５０６によりメモリカード１２０５内の第２記憶部１６０３に記憶された試聴コンテンツ用タイトル鍵１６１３を読み込んで変換部１５１３内の復号処理部１５１６に出力する（ステップＳ２４０２）。
【０２２５】
次に、制御部１５０１は、メモリカードＩ／Ｆ部１５０６によりメモリカード１２０５内の第２記憶部１６０３に記憶された試聴コンテンツの権利データ用タイトル鍵１６１４を読み込んで変換部１５１３内の復号処理部１５１６に出力する（ステップＳ２４０３）。復号処理部１５１６は、制御部１５０１から入力された試聴コンテンツ用タイトル鍵１６１３を、固有情報記憶部１５０３に記憶した固有情報に基づいて復号化する（ステップＳ２４０４）。
【０２２６】
次に、メモリカードＩ／Ｆ部１５０６は、メモリカード１２０５内の第１記憶部１６０２に記憶された試聴コンテンツ全体１６１１を読み込んで変換部１５１３内の復号処理部１５１６に出力する（ステップＳ２４０５）。復号処理部１５１６は、メモリカードＩ／Ｆ部１５０６から入力された試聴コンテンツ全体１６１１を、制御部１５０１から入力された試聴コンテンツ用タイトル鍵１６１３を用いて復号化して、試聴コンテンツパッケージ１７１０（図１８参照）として制御部１５０１に出力する（ステップＳ２４０６）。
【０２２７】
次に、復号処理部１５１６は、制御部１５０１から入力された試聴コンテンツの権利データ用タイトル鍵１６１４を、固有情報記憶部１５０３に記憶した固有情報に基づいて復号化する（ステップＳ２４０７）。
【０２２８】
次に、メモリカードＩ／Ｆ部１５０６は、メモリカード１２０５内の第１記憶部１６０２に記憶された試聴コンテンツ用権利データ全体１６１２（図１９参照）を読み込んで変換部１５１３内の復号処理部１５１６に出力する（ステップＳ２４０８）。復号処理部１５１６は、メモリカードＩ／Ｆ部１５０６から入力された試聴コンテンツ用権利データ全体１６１２を、復号化した権利データ用タイトル鍵１６１４を用いて復号化して試聴コンテンツ用権利データ本体１９１０（図２０参照）として制御部１５０１に出力する（ステップＳ２４０９）。
【０２２９】
次に、制御部１５０１は、復号処理部１５１６から入力された試聴コンテンツ用権利データ本体１９１０を蓄積部１５０５に蓄積して（ステップＳ２４１０）、本処理を終了する。
【０２３０】
また、ステップＳ２４０１において、制御部１５０１は、相互認証が失敗したと判別した場合は（ステップＳ２４０１：ＮＯ）、本処理を終了する。
【０２３１】
以上の処理により、携帯情報端末装置１２０３内の蓄積部１５０５には、試聴コンテンツパッケージ１７１０と試聴コンテンツ用権利データ本体１９１０が蓄積されたことになる。
【０２３２】
次に、携帯情報端末装置１２０３において実行される試聴コンテンツ再生処理について、図２５に示すフローチャートを参照して説明する。
【０２３３】
図２５において、携帯情報端末装置１２０３内の管理部１５１２は、蓄積部１５０５から試聴コンテンツ用権利データ本体１９１０を取得して権利データ解釈部１５１４に出力し（ステップＳ２５０１）、続いて、蓄積部１５０５から試聴コンテンツパッケージ１７１０を取得して変換部１５１３内の復号処理部１５１６に出力する（ステップＳ２５０２）。
【０２３４】
権利データ解釈部１５１４は、管理部１５１２から入力された試聴コンテンツ用権利データ本体１９１０に含まれるコンテンツ再生制限１９０５（図２０参照）の内容を解釈し、試聴コンテンツが試聴可能か否かを判定する（ステップＳ２５０３）。権利データ解釈部１５１４は、試聴コンテンツが試聴可能と判定した場合は（ステップＳ２５０３：ＹＥＳ）、その旨を管理部１５１２に通知する。
【０２３５】
管理部１５１２は、権利データ解釈部１５１４から試聴可能である旨が通知されると、以下の手順で試聴コンテンツのコンテンツ本体１７０１を再生する（ステップＳ２５０４）。
【０２３６】
まず、管理部１５１２は、試聴コンテンツ用権利データ本体１９１０を管理部１５１２内の復号処理部１５１５に出力する。復号処理部１５１５は、管理部１５１２から入力された試聴コンテンツ用権利データ本体１９１０に含まれる試聴コンテンツのコンテンツ本体１７０１を、試聴コンテンツ用権利データ本体１９１０に含まれる試聴コンテンツ用コンテンツ復号鍵１９０１を用いて復号化し、復号化したコンテンツ本体１７０１を再生部１５０８に出力する。
【０２３７】
次に、再生部１５０８は、復号処理部１５１５から入力された試聴コンテンツのコンテンツ本体１７０１に含まれるに含まれる音声データと画像データをそれぞれＤ／Ａ変換等の再生処理を実行し、音声信号を音声出力部１５０９に出力し、画像信号を画像出力部１５１０に出力する。
【０２３８】
以後、音声出力部１５０９は、再生部１５０８から入力される音声信号をスピーカから出力する。画像出力部１５１０は、再生部１５０８から入力される画像信号に基づいて画像を液晶パネルに表示する。
【０２３９】
次に、権利データ解釈部１５１４は、試聴コンテンツの再生に応じて試聴コンテンツ用権利データ本体１９１０内のコンテンツ再生制限の更新（残り再生回数等）を行って（ステップＳ２５０５）、本処理を終了する。
【０２４０】
また、ステップＳ２５０３において、権利データ解釈部１５１４は、試聴コンテンツが試聴不可能と判定した場合は（ステップＳ２５０３：ＮＯ）、本処理を終了する。
【０２４１】
以上の処理により、携帯情報端末装置１２０３のユーザは、所有する携帯情報端末装置１２０３の再生機能（画質や音質）に応じた試聴コンテンツの試聴を行うことができ、フルコンテンツの購入判断を適切に行うことができる。
【０２４２】
次に、携帯情報端末装置１２０３により実行されるコンテンツ・権利データサーバ１２０２からのフルコンテンツパッケージとフルコンテンツ用コンテンツ復号鍵の取得処理について、図２６（ａ）、（ｂ）に示すフローチャートを参照して説明する。
【０２４３】
図２６（ａ）において、携帯情報端末装置１２０３内の制御部１５０１は、蓄積部１５０５から試聴コンテンツパッケージ１７１０を取得し（ステップＳ２６０１）、その試聴コンテンツパッケージ１７１０に含まれるコンテンツ取得ＵＲＬ１７０４（図１８参照）を読み出してダウンロード部１５１１に出力する（ステップＳ２６０２）。
【０２４４】
ダウンロード部１５１１は、制御部１５０１からコンテンツ取得ＵＲＬ１７０４が入力されると、ブラウザを起動し、コンテンツ取得ＵＲＬ１７０４に基づいて、送受信部１５０７により移動体通信ネットワーク１０６を介してコンテンツ・権利データサーバ１２０２にアクセスして、フルコンテンツとフルコンテンツ用権利データの取得要求を送信する（ステップＳ２６０３）。
【０２４５】
図２６（ｂ）において、コンテンツ・権利データサーバ１２０２は、送受信部１４０６により移動体通信ネットワーク１０６を介して携帯情報端末装置１２０３からのアクセスによりフルコンテンツとフルコンテンツ用権利データの取得要求を受信すると、管理部１４１１は、コンテンツ・権利データ蓄積部１４０３に蓄積されたフルコンテンツ用権利データに基づいて、権利データリスト（権利データの種類、販売条件、価格等を含む）を作成して（ステップＳ２６１１）、その権利データリストを送受信部１４０６から携帯情報端末装置１２０３に送信する（ステップＳ２６１２）。
【０２４６】
次に、携帯情報端末装置１２０３は、送受信部１５０７によりコンテンツ・権利データサーバ１２０２から送信された権利デーリストを受信すると（ステップＳ２６０４）、ダウンロード部１５１１は、再生部１５０８に権利データリストを出力して、画像出力部１５１０に権利データリストを表示させて、ユーザの入力部１５０４の操作によりフルコンテンツの権利データを選択させる。
【０２４７】
ダウンロード部１５１１は、入力部１５０４によりフルコンテンツの権利データ選択結果が入力されると、その権利データ選択情報を送受信部１５０７からコンテンツ・権利データサーバ１２０２に送信する（ステップＳ２６０５）。
【０２４８】
次に、コンテンツ・権利データサーバ１２０２は、送受信部１４０６により携帯情報端末装置１２０３から送信された権利データ選択情報を受信すると（ステップＳ２６１３）、管理部１４１１は、権利データ選択情報に基づいて、コンテンツ・権利データ蓄積部１４０３から該当するフルコンテンツを読み出して、送受信部１４０６から携帯情報端末装置１２０３に送信する（ステップＳ２６１４）。
【０２４９】
次に、携帯情報端末装置１２０３は、送受信部１５０７によりコンテンツ・権利データサーバ１２０２から送信されたフルコンテンツを受信すると（ステップＳ２６０６）、ダウンロード部１５１１は、そのフルコンテンツを蓄積部１５０５に蓄積する（ステップＳ２６０７）。
【０２５０】
ここで、蓄積部１５０５に蓄積したフルコンテンツの構成を図２７に示す。図２７において、フルコンテンツ２７００には、暗号化されたコンテンツ本体２７０１と、コンテンツＩＤ２７０２と、コンテンツ関連情報２７０３と、権利データ取得ＵＲＬ２７０４と、が含まれる。
【０２５１】
次に、コンテンツ・権利データサーバ１２０２内の管理部１４１１は、権利データ選択情報に基づいて、コンテンツ・権利データ蓄積部１４０３から該当するフルコンテンツ用権利データを読み出して、送受信部１４０６から携帯情報端末装置１２０３に送信して（ステップＳ２６１５）、本処理を終了する。
【０２５２】
次に、携帯情報端末装置１２０３は、送受信部１５０７によりコンテンツ・権利データサーバ１２０２から送信されたフルコンテンツ用権利データを受信すると（ステップＳ２６０８）、ダウンロード部１５１１は、受信したフルコンテンツ用権利データを蓄積部１５０５に蓄積して（ステップＳ２６０９）、本処理を終了する。
【０２５３】
ここで、蓄積部１５０５に蓄積したフルコンテンツ用権利データの構成を図２８に示す。図２８において、フルコンテンツ用権利データ２８００には、フルコンテンツ用コンテンツ復号鍵２８０１と、権利データＩＤ２８０２と、コンテンツＩＤ２８０３と、コンテンツ関連情報２８０４と、コンテンツ再生制限２８０５と、が含まれる。
【０２５４】
このフルコンテンツ用権利データ２８００では、コンテンツＩＤ２８０３を含ませることにより、フルコンテンツとフルコンテンツ用権利データの対応を取っている。また、コンテンツ再生制限２８０５には、「再生期間制限」等、フルコンテンツの再生を制限する情報が含まれる。
【０２５５】
以上の処理により、携帯情報端末装置１２０３のユーザは、試聴コンテンツを確認してから試聴コンテンツに格納されたコンテンツ取得ＵＲＬに基づいて、コンテンツ・権利データサーバ１２０２にアクセスしてフルコンテンツ用権利データとともにフルコンテンツを取得して携帯情報端末装置１２０３内に蓄積することができる。
【０２５６】
次に、携帯情報端末装置１２０３から他の携帯情報端末装置１２０４に試聴コンテンツを転送する場合の動作について、図２９（ａ）〜（ｃ）に示すフローチャートを参照して説明する。
【０２５７】
なお、この動作を説明する前提として、試聴コンテンツ転送先の携帯情報端末装置１２０４には、固有情報発行・管理サーバ１０１から発行された固有情報が記憶されているものとする。
【０２５８】
図２９（ａ）において、試聴コンテンツ転送元の携帯情報端末装置１２０３は、ユーザの入力部１５０４の操作により試聴コンテンツ転送指示が入力されると（ステップＳ２９０１）、制御部１５０１は、蓄積部１５０５に蓄積された試聴コンテンツパッケージ１７１０を取得して送受信部１５０７により移動体通信ネットワーク１０６を介して携帯情報端末装置１２０４に送信して（ステップＳ２９０２）、本処理を終了する。
【０２５９】
なお、携帯情報端末装置１２０３から携帯情報端末装置１２０４に試聴コンテンツを転送する際には、移動体通信ネットワーク１０６を介してメールに添付して送信することに限らず、ＩｒＤＡ（Infrared Data Association ）やブルートゥース（Bluetooth ）（登録商標）等の近距離無線通信手段を利用して転送するようにしてもよい。
【０２６０】
図２９（ｂ）において、試聴コンテンツ転送先の携帯情報端末装置１２０４は、送受信部１５０７により転送元の携帯情報端末装置１２０３から送信された試聴コンテンツパッケージ１７１０を受信すると（ステップＳ２９１１）、制御部１５０１は、その受信した試聴コンテンツパッケージ１７１０を蓄積部１５０５に蓄積する（ステップＳ２９１２）。
【０２６１】
次に、携帯情報端末装置１２０４内の制御部１５０１は、蓄積部１５０５から試聴コンテンツパッケージ１７１０を取得し（ステップＳ２９１３）、その試聴コンテンツパッケージ１７１０に含まれるコンテンツ取得ＵＲＬ１７０４（図１８参照）を読み出してダウンロード部１５１１に出力する（ステップＳ２９１４）。
【０２６２】
ダウンロード部１５１１は、制御部１５０１からコンテンツ取得ＵＲＬ１７０４が入力されると、ブラウザを起動し、コンテンツ取得ＵＲＬ１７０４に基づいて、送受信部１５０７により移動体通信ネットワーク１０６を介してコンテンツ・権利データサーバ１２０２にアクセスして、試聴コンテンツ用権利データの取得要求を送信する（ステップＳ２９１５）。
【０２６３】
図２９（ｃ）において、コンテンツ・権利データサーバ１２０２は、送受信部１４０６により移動体通信ネットワーク１０６を介して携帯情報端末装置１２０４からのアクセスにより試聴コンテンツ用権利データの取得要求を受信すると、管理部１４１１は、コンテンツ・権利データ蓄積部１４０３に蓄積された試聴コンテンツ用権利データに基づいて、権利データリスト（権利データの種類等を含む）を作成して（ステップＳ２９２１）、その権利データリストを送受信部１４０６から携帯情報端末装置１２０４に送信する（ステップＳ２９２２）。
【０２６４】
次に、携帯情報端末装置１２０４は、送受信部１５０７によりコンテンツ・権利データサーバ１２０２から送信された権利デーリストを受信すると（ステップＳ２９１６）、制御部１５０は、再生部１５０８に権利データリストを出力して、画像出力部１５１０に権利データリストを表示させて、ユーザの入力部１５０４の操作により試聴コンテンツ権利データを選択させる。
【０２６５】
制御部１５０１は、入力部１５０４により試聴コンテンツ用権利データの選択結果が入力されると、その権利データ選択情報を送受信部１５０７からコンテンツ・権利データサーバ１２０２に送信する（ステップＳ２９１７）。
【０２６６】
次に、コンテンツ・権利データサーバ１２０２は、送受信部１４０６により携帯情報端末装置１２０４から送信された権利データ選択情報を受信すると（ステップＳ２９２３）、管理部１４１１は、権利データ選択情報に基づいて、コンテンツ・権利データ蓄積部１４０３から該当する試聴コンテンツ用権利データを読み出して、送受信部１４０６から携帯情報端末装置１２０４に送信して（ステップＳ２９２４）、処理を終了する。
【０２６７】
次に、携帯情報端末装置１２０３は、送受信部１５０７によりコンテンツ・権利データサーバ１２０２から送信された試聴コンテンツ用権利データを受信すると（ステップＳ２９１８）、ダウンロード部１５１１は、その試聴コンテンツ用権利データを蓄積部１５０５に蓄積して（ステップＳ２９１９）、本処理を終了する。
【０２６８】
以上のように、本実施の形態２のコンテンツ処理システム１２００では、固有状発行・管理サーバ１０１がコンテンツパッケージサーバ１２０１と携帯情報端末装置１２０３，１２０４に対して、共通の固有情報を発行して管理し、コンテンツパッケージサーバ１２０１は、生成した試聴コンテンツ用コンテンツ復号鍵を用いて試聴コンテンツ本体を暗号化して試聴コンテンツ本体１７０１とし、この試聴コンテンツ本体１７０１に、コンテンツＩＤ１７０２、コンテンツ関連情報１７０３、コンテンツ取得ＵＲＬ１７０４、及び権利データ取得ＵＲＬ１７０５を付与した試聴コンテンツパッケージ１７１０を生成し、この試聴コンテンツパッケージ１７１０を暗号化した試聴コンテンツ全体１６１１と、暗号化した試聴コンテンツ用権利データ１６１２をメモリカード１２０５内の第１記憶部１６０２に蓄積した。
【０２６９】
また、コンテンツパッケージサーバ１２０１は、メモリカード１２０５内の第２記憶部１６０３に、試聴コンテンツ用タイトル鍵１６１３及び権利データ用タイトル鍵１６１４を、固有情報でそれぞれ暗号化して記憶するようにした。
【０２７０】
以上のように、メモリカードに試聴用コンテンツと、試聴コンテンツに対応する鍵情報とを固有情報で暗号化して蓄積し、試聴コンテンツに対応するフルコンテンツの取得先情報を暗号化して蓄積することにより、固有情報を記憶した特定機器のユーザに対して、試聴コンテンツを低料金または無料で配布することができる。
【０２７１】
このため、携帯情報端末装置のユーザは、メモリカードに蓄積された試聴コンテンツを自装置の再生機能に合わせて再生してコンテンツの内容を確認することができ、フルコンテンツの購入手続きへの移行を、表示されたＵＲＬのクリック操作等により容易かつ確実に行うことができる。
【０２７２】
また、本実施の形態２のコンテンツ処理システム１２００では、コンテンツパッケージサーバ１２０１は、販売用のフルコンテンツパッケージとフルコンテンツ用コンテンツ復号鍵を暗号化してコンテンツ・権利データサーバ１２０２に送信して蓄積し、携帯情報端末装置１２０３は、メモリカードＩ／Ｆ部１５０６に装着されたメモリカード１２０５に記憶されたコンテンツ取得ＵＲＬ１７０４、及び権利データ取得ＵＲＬ１７０５によりコンテンツ・権利データサーバ１２０２にアクセスして、暗号化されたフルコンテンツとフルコンテンツ用コンテンツ復号鍵を移動体通信ネットワーク１０６を介して取得するようにした。
【０２７３】
したがって、フルコンテンツが暗号化されているため、フルコンテンツをセキュアにサーバから携帯情報端末装置に配信することが可能であり、フル暗号化コンテンツの超流通を実現することができ、コンテンツ流通における広告効果を高めることができる。
【０２７４】
また、フルコンテンツ用権利データには、フルコンテンツの再生を制限する情報も含まれるため、コンテンツパッケージサーバを運用するコンテンツ販売者、またはコンテンツの権利を保有するコンテンツ管理者の利益を保護しながらコンテンツ再生条件を適宜設定することができる。
【０２７５】
また、本実施の形態２のコンテンツ処理システム１２００では、試聴コンテンツ全体１６１１を蓄積した携帯情報端末装置１２０３は、同一の固有情報を記憶した携帯情報端末装置１２０４に試聴コンテンツ全体１６１１を転送することにより、転送先の携帯情報端末装置１２０４は、同様にコンテンツ・権利データサーバ１２０２からフルコンテンツとフルコンテンツ用権利データを購入することができる。
【０２７６】
このため、試聴コンテンツの配布とフルコンテンツの流通を容易にすることができ、コンテンツ販売者、またはコンテンツ管理者の利益を保護しながらコンテンツの超流通の拡大を図ることができる。
【０２７７】
（実施の形態３）
上記実施の形態２では、試聴コンテンツ全体及び試聴コンテンツ用権利データを暗号化する各タイトル鍵を固有情報に基づいて暗号化してメモリカードに蓄積し、固有情報を記憶した特定の機器向けにメモリカードを配布して、ユーザが試聴コンテンツを試聴後にサーバからフルコンテンツを購入可能にする場合を示した。
【０２７８】
本実施の形態３では、試聴コンテンツ全体及び試聴コンテンツ用権利データを暗号化する各タイトル鍵を固有情報に基づいて暗号化してメモリカードに蓄積するとともに、フルコンテンツを暗号化してメモリカードに蓄積し、固有情報を記憶した特定の機器向けにメモリカードを配布して、ユーザが試聴コンテンツを試聴後にサーバからフルコンテンツに対応する権利データを購入可能にする場合について説明する。
【０２７９】
なお、本実施の形態３のコンテンツ処理システムに適用する固有情報発行・管理サーバの構成は、上記図２に示したものと同一であるため、その図示及び構成説明は省略する。
【０２８０】
図３０は、本実施の形態３のコンテンツ処理システム３０００の構成を示す図である。図３０において、コンテンツ処理システム３０００は、固有情報発行・管理サーバ１０１と、コンテンツパッケージサーバ３００１と、権利データサーバ３００２と、携帯情報端末装置３００３と、メモリカード３００４と、から構成される。
【０２８１】
また、図３０において、固有情報発行・管理サーバ１０１とコンテンツパッケージサーバ３００１は、通信ネットワーク１０５を介して接続され、固有情報発行・管理サーバ１０１と携帯情報端末装置３００３は、移動体通信ネットワーク１０６を介して接続される。また、コンテンツパッケージサーバ３００１と権利データサーバ３００２は、通信ネットワーク３００５を介して接続され、権利データサーバ３００２と携帯情報端末装置３００３は、移動体通信ネットワーク１０６を介して相互に接続される。なお、権利データサーバ３００２は、権利データサーバとして機能する。
【０２８２】
図３１は、コンテンツパッケージサーバ３００１の構成を示すブロック図である。なお、図３１において、上記図１３に示したコンテンツパッケージサーバ１２０１と同一の構成部分には同一符号を付して、その構成説明を省略する。
【０２８３】
図３１において、コンテンツパッケージサーバ３００１は、制御部１３０１と、メモリ１３０２と、固有情報記憶部１３０３と、入力部１３０４と、コンテンツ蓄積部１３０５と、メモリカードＩ／Ｆ部１３０６と、権利データＩ／Ｆ部３１０１と、送受信部１３０８と、から主に構成される。
【０２８４】
制御部１３０１には、管理部１３１１と変換部３１１１が含まれ、変換部３１１１には、コンテンツパッケージ部３１１２と、権利データ生成部１３１４と、鍵生成部１３１５と、暗号処理部１３１６と、が含まれる。
【０２８５】
権利データＩ／Ｆ部３１０１は、通信ネットワーク３００５を介して権利データサーバ３００２にフルコンテンツ用権利データを送信する。変換部３１１１は、メモリカード３００４に蓄積するデータ（試聴コンテンツ及びフルコンテンツの各コンテンツ本体、試聴コンテンツ用権利データ）を生成するとともに、権利データサーバ３００２に提供するデータ（フルコンテンツ用権利データ）を生成する。
【０２８６】
コンテンツパッケージ部３１１２は、コンテンツ蓄積部１３０５からフルコンテンツ本体を読み出して暗号処理部１３１６に出力するとともに、暗号処理部１３１６で暗号化された試聴コンテンツのコンテンツ本体に対してコンテンツＩＤ、コンテンツ関連情報、及び権利データ取得ＵＲＬを付与してパッケージングして試聴コンテンツパッケージを生成し、試聴コンテンツパッケージを転送禁止用パッケージにパッケージングするとともに、フルコンテンツに対してコンテンツＩＤ、コンテンツ関連情報、及び権利データ取得ＵＲＬを付与してパッケージングしてフルコンテンツパッケージを生成する。
【０２８７】
図３２は、権利データサーバ３００２の構成を示すブロック図である。図３２において、権利データサーバ３００２は、制御部３２０１と、メモリ３２０２と、権利データ蓄積部３２０３と、課金データ蓄積部３２０４と、権利データＩ／Ｆ部３２０５と、送受信部３２０６と、から主に構成される。制御部３２０１には、管理部３２１１と課金処理部３２１２が含まれ、送受信部３２０６には、移動体通信用のアンテナ３２０７が接続されている。
【０２８８】
制御部３２０１は、メモリ３２０２に記憶された制御プログラムに基づいて、権利データサーバ３００２全体を統括制御する。管理部３２１１は、携帯情報端末装置３００３からのフルコンテンツ用権利データの取得要求に応じて、権利データの種類、販売条件、価格等を提示して、携帯情報端末装置３００３にフルコンテンツ用権利データを提供（販売）する。
【０２８９】
課金処理部３２１２は、フルコンテンツ用権利データの販売に関する課金処理を実行し、課金処理結果を課金データ蓄積部３２０４に格納する。メモリ３２０２は、ＲＯＭ等の半導体メモリから構成され、権利データサーバ３００２全体を制御する制御プログラム等を記憶する。
【０２９０】
権利データ蓄積部３２０３は、ハードディスク装置等の大容量記憶媒体から構成され、コンテンツパッケージサーバ３００１から提供されたフルコンテンツ用権利データを格納して、データ保持部としての機能を実現する。
【０２９１】
課金データ蓄積部３２０４は、ハードディスク装置等の大容量記憶媒体から構成され、フルコンテンツ用権利データの販売に関する課金処理結果を格納して、課金データ保持部としての機能を実現する。権利データＩ／Ｆ部３２０５は、通信ネットワーク３００５を介してコンテンツパッケージサーバ３００１からフルコンテンツ用権利データを受信する。
【０２９２】
送受信部３２０６は、移動体通信ネットワーク１０６と無線接続するインターフェース機能を有し、携帯情報端末装置３００３から送信されるフルコンテンツ用権利データの取得要求をアンテナ３２０７により受信して管理部３２１１に出力し、管理部３２１１から入力される権利データの種類、販売条件、価格等の提示情報をアンテナ３２０７から携帯情報端末装置３００３に送信する。
【０２９３】
また、送受信部３２０６は、携帯情報端末装置３００３から提示情報に基づく購入指示を受信して管理部３２１１に出力し、管理部３２１１から入力されるフルコンテンツ用権利データを携帯情報端末装置３００３に送信する。
【０２９４】
図３３は、携帯情報端末装置３００３の構成を示すブロック図である。なお、図３３において、上記図１５に示した携帯情報端末装置１２０３と同一の構成部分には同一符号を付して、その構成説明を省略する。
【０２９５】
図３３において、携帯情報端末装置３００３は、制御部１５０１と、メモリ１５０２と、固有情報記憶部１５０３と、入力部１５０４と、蓄積部１５０５と、メモリカードＩ／Ｆ部１５０６と、送受信部３３０１と、再生部１５０８と、音声出力部１５０９と、画像出力部１５１０と、から主に構成される。
【０２９６】
制御部１５０１には、ダウンロード部３３１１と、管理部１５１２と変換部１５１３が含まれ、管理部１５１２には、権利データ解釈部１５１４と、復号処理部１５１５と、コンテンツ転送判定部３３１２とが含まれ、変換部１５１３には、復号処理部１５１６が含まれる。
【０２９７】
送受信部３３０１は、移動体通信ネットワーク１０６と無線接続するインターフェース機能を有し、制御部１５０１から入力される固有情報発行指示メッセージを移動体通信ネットワーク１０６を介して固有情報発行・管理サーバ１０１に送信するとともに、固有情報発行・管理サーバ１０１から送信される固有情報を受信して制御部１５０１に出力する。
【０２９８】
また、送受信部３３０１は、ダウンロード部３３１１から入力される権利データ取得ＵＲＬに基づいて権利データサーバ３００２にアクセスし、フルコンテンツ用権利データの取得要求を送信し、権利データサーバ３００２から送信される権利データリストを受信してダウンロード部３３１１に出力する。また、送受信部１５０７は、ダウンロード部３３１１入力される権利データ選択情報を権利データサーバ３００２に送信し、権利データサーバ３００２から送信されたフルコンテンツ用権利データを受信してダウンロード部３３１１に出力する。
【０２９９】
ダウンロード部３３１１は、制御部１５０１から入力される権利データ取得ＵＲＬに基づいて、フルコンテンツ用権利データの取得要求を送受信部３３０１を介して権利データサーバ３００２に送信し、権利データサーバ３００２から送信されるフルコンテンツ用権利データを送受信部３３０１を介して受信する。
【０３００】
コンテンツ転送判定部３３１２は、入力部１５０４により試聴コンテンツ転送指示が入力された時に、指定された試聴コンテンツパッケージに付加される転送禁止フラグに基づいて、転送可／不可を判定し、その判定結果を管理部１５１２に出力する。なお、コンテンツ転送判定部３３１２は、転送判定手段として機能する。
【０３０１】
図３４は、メモリカード３００４の構成を示すブロック図である。なお、図３４において、上記図１６に示したメモリカード１２０５と同一の構成部分には同一符号を付して、その構成説明を省略する。図３４において、メモリカード３００４は、認証部１６０１と、第１記憶部１６０２と、第２記憶部１６０３と、から構成される。
【０３０２】
第１記憶部１６０２は、半導体メモリ等の大容量記憶媒体から構成され、コンテンツパッケージサーバ３００１に装着された際に、コンテンツパッケージサーバ３００１において暗号化された試聴コンテンツ１６１１と、試聴コンテンツ用権利データ１６１２と、フルコンテンツ３４０１を記憶する。
【０３０３】
次に、コンテンツパッケージサーバ３００１において実行されるコンテンツパッケージ処理について、図３５，３６に示すフローチャートを参照して説明する。
【０３０４】
なお、この処理を説明する前提として、コンテンツパッケージサーバ３００１内の固有情報記憶部１３０３には、実施の形態１の図８に示した固有情報発行処理により固有情報発行・管理サーバ１０１から発行された固有情報が記憶されているものとする。
【０３０５】
また、コンテンツパッケージサーバ３００１内のコンテンツ蓄積部１３０５には、変換部３１１１により生成されたフルコンテンツ及び試聴コンテンツの各コンテンツ本体が蓄積されているものとする。
【０３０６】
図３５において、コンテンツパッケージサーバ３００１内の鍵生成部１３１５は、乱数生成等により試聴コンテンツ用コンテンツ復号鍵を生成して暗号処理部１３１６に出力する（ステップＳ３５０１）。暗号処理部１３１６は、コンテンツ蓄積部１３０５から読み出した試聴コンテンツのコンテンツ本体を、鍵生成部１３１５から入力された試聴コンテンツ用コンテンツ復号鍵を用いて暗号化してコンテンツパッケージ部３１１２に出力する（ステップＳ３５０２）。
【０３０７】
次に、コンテンツパッケージ部３１１２は、暗号処理部１３１６から入力された暗号化された試聴コンテンツのコンテンツ本体に対して、コンテンツＩＤ、コンテンツ関連情報、及び権利データ取得ＵＲＬを付与してパッケージングして、試聴コンテンツパッケージを生成する（ステップＳ３５０３）。次に、コンテンツパッケージ部３１１２は、試聴コンテンツパッケージを転送禁止用パッケージにパッケージングして暗号処理部１３１６に出力する（ステップＳ３５０４）。
【０３０８】
次に、鍵生成部１３１５は、乱数生成等により試聴コンテンツ用タイトル鍵を生成して暗号処理部１３１６に出力する（ステップＳ３５０５）。暗号処理部１３１６は、コンテンツパッケージ部１３１３から入力された転送禁止用パッケージを、鍵生成部１３１５から入力された試聴コンテンツ用タイトル鍵を用いて暗号化して試聴コンテンツ全体を生成する（ステップＳ３５０６）。
【０３０９】
次に、暗号処理部１３１６は、試聴コンテンツ用タイトル鍵を、固有情報記憶部１３０３に記憶した固有情報に基づいて暗号化する（ステップＳ３５０７）。次に、権利データ生成部１３１４は、試聴コンテンツ用権利データを生成して暗号処理部１３１６に出力し（ステップＳ３５０８）、鍵生成部１３１５は、試聴コンテンツの権利データ用タイトル鍵を生成して暗号処理部１３１６に出力する（ステップＳ３５０９）。
【０３１０】
次に、暗号処理部１３１６は、権利データ生成部１３１４から入力された試聴コンテンツ用権利データを、鍵生成部１３１５から入力された試聴コンテンツ用の権利データ用タイトル鍵を用いて暗号化するとともに（ステップＳ３５１０）、試聴コンテンツ用の権利データ用タイトル鍵を固有情報記憶部１３０３に記憶した固有情報に基づいて暗号化する（ステップＳ３５１１）。
【０３１１】
次に、制御部１３０１は、暗号処理部１３１６で暗号化された試聴コンテンツ全体をメモリカードＩ／Ｆ部１３０６を介してメモリカード３００４内の第１記憶部１６０２に蓄積するとともに（ステップＳ３５１２）、暗号処理部１３１６で暗号化された試聴コンテンツ用権利データをメモリカードＩ／Ｆ部１３０６を介してメモリカード３００４内の第１記憶部１６０２に蓄積する（ステップＳ３５１３）。
【０３１２】
次に、メモリカードＩ／Ｆ部１３０６は、コンテンツパッケージサーバ３００１とメモリカード３００４内の認証部１６０１との間で相互認証処理を行い、その相互認証結果を制御部１３０１に出力する。制御部１３０１は、メモリカードＩ／Ｆ部１３０６から入力される相互認証結果に基づいて、コンテンツパッケージサーバ３００１とメモリカード３００４間の相互認証の成否を判別する（ステップＳ３５１４）。
【０３１３】
制御部１３０１は、相互認証が成功したと判別した場合は（ステップＳ３５１４：ＹＥＳ）、暗号処理部１３１６で暗号化された試聴コンテンツ用タイトル鍵をメモリカードＩ／Ｆ部１３０６を介してメモリカード３００４内の第２記憶部１６０３に蓄積する（ステップＳ３５１５）。
【０３１４】
次に、制御部１３０１は、暗号処理部１３１６で暗号化された試聴コンテンツの権利データ用タイトル鍵をメモリカードＩ／Ｆ部１３０６を介してメモリカード３００４内の第２記憶部１６０３に蓄積する（ステップＳ３５１６）。
【０３１５】
次に、鍵生成部１３１５は、フルコンテンツ用コンテンツ復号鍵を生成して暗号処理部１３１６に出力する（ステップＳ３５１７）。暗号処理部１３１６は、コンテンツ蓄積部１３０５からフルコンテンツのコンテンツ本体を読み出し、鍵生成部１３１５から入力されたフルコンテンツ用コンテンツ復号鍵を用いて暗号化してコンテンツパッケージ部３１１２に出力する（ステップＳ３５１８）。
【０３１６】
コンテンツパッケージ部３１１２は、暗号処理部１３１６から入力された暗号化されたフルコンテンツのコンテンツ本体に対してコンテンツＩＤ、コンテンツ関連情報、及び権利データ取得ＵＲＬを付与して、フルコンテンツパッケージを生成して制御部１３０１に出力する（ステップＳ３５１９）。
【０３１７】
制御部１３０１は、コンテンツパッケージ部３１１２から入力されたフルコンテンツパッケージをメモリカードＩ／Ｆ部１３０６を介してメモリカード３００４内の第１記憶部１６０２に蓄積する（ステップＳ３５２０）。
【０３１８】
次に、権利データ生成部１３１４は、フルコンテンツ用権利データを生成して制御部１３０１に出力する（ステップＳ３５２１）。制御部１３０１は、権利データ生成部１３１４から入力されたフルコンテンツ用権利データを権利データＩ／Ｆ部３１０１を介して権利データサーバ３００２に送信して（ステップＳ３５２２）、本処理を終了する。
【０３１９】
また、ステップＳ３５１４において、制御部１３０１は、相互認証が失敗したと判別した場合は（ステップＳ３５１４：ＮＯ）、本処理を終了する。
【０３２０】
次に、上記コンテンツパッケージサーバ３００１の処理に応じて権利データサーバ３００２において実行される処理について、図３７に示すフローチャートを参照して説明する。
【０３２１】
図３７において、権利データサーバ３００２内の権利データＩ／Ｆ部３２０５は、コンテンツパッケージサーバ３００１から送信されるフルコンテンツ用権利データを受信して制御部３２０１に出力する（ステップＳ３７０１）。制御部３２０１は、権利データＩ／Ｆ部３２０５から入力されるフルコンテンツ用権利データを権利データ蓄積部３２０３に蓄積して（ステップＳ３７０２）、本処理を終了する。
【０３２２】
以上の処理により、メモリカード３００４内の第１記憶部１６０２には、図３９に示す暗号化された試聴コンテンツのコンテンツ本体３９０１に、コンテンツＩＤ３９０２、コンテンツ関連情報３９０３、及び権利データ取得ＵＲＬ３９０４を付与した試聴コンテンツパッケージ３９１０を転送禁止用にパッケージングした転送禁止用パッケージ３９１１とし、更に、この転送禁止用パッケージ３９１１を試聴コンテンツ用タイトル鍵で暗号化した試聴コンテンツ全体１６１１と、図３４に示す暗号化された試聴コンテンツ用権利データ１６１２と、コンテンツ本体を暗号化したフルコンテンツ３４０１と、が蓄積されたことになる。
【０３２３】
また、メモリカード３００３内の第１記憶部１６０２に記憶された試聴コンテンツ用権利データ全体１６１２には、図１９に示したように、権利データ用タイトル鍵により暗号化されており、その内部には暗号化された試聴コンテンツ用コンテンツ復号鍵１９０１と、権利データＩＤ１９０２と、試聴コンテンツと対応を取るコンテンツＩＤ１９０３と、コンテンツ関連情報１９０４、及びコンテンツ再生制限１９０５を含む試聴コンテンツ用権利データ本体１９１０が含まれる。
【０３２４】
なお、コンテンツ再生制限１９０５には、試聴コンテンツの「再生回数制限」、「再生期間制限」等が設定されるものとする。
【０３２５】
図１９の試聴コンテンツ用権利データ全体１６１２は、図２０に示すように、携帯情報端末装置１２０３内に読み込み後は、権利データ用タイトル鍵を用いて復号化することにより試聴コンテンツ用権利データ本体１９１０となる。
【０３２６】
また、図３４に示すように、メモリカード３００４内の第２記憶部１６０３には、暗号化された試聴コンテンツ用タイトル鍵１６１３と、暗号化された権利データ用タイトル鍵１６１４が記憶される。その結果、試聴コンテンツを低料金または無料で配布するためのメモリカード３００４となる。また、権利データサーバ３００２では、販売用のフルコンテンツ用権利データの蓄積が完了する。
【０３２７】
したがって、メモリカード３００４には、試聴コンテンツが転送禁止用パッケージ３９１１として蓄積されるため、携帯情報端末装置３００３にメモリカード３００４が装着された場合に、外部への転送は不可能となる。
【０３２８】
次に、携帯情報端末装置３００３において実行されるメモリカード３００４からの試聴コンテンツ読込処理について、図３８に示すフローチャートを参照して説明する。
【０３２９】
図３８において、携帯情報端末装置３００３は、メモリカードＩ／Ｆ部１５０６にメモリカード３００４が装着されると、メモリカードＩ／Ｆ部１５０６によりメモリカード３００４内の認証部１６０１との間で相互認証処理を実行し、その相互認証結果を制御部１５０１に出力する。
【０３３０】
制御部１５０１は、メモリカードＩ／Ｆ部１５０６から入力される相互認証結果に基づいて、携帯情報端末装置３００３とメモリカード３００４間の相互認証の成否を判別する（ステップＳ３８０１）。制御部１５０１は、相互認証が成功したと判別した場合は（ステップＳ３８０１：ＹＥＳ）、メモリカードＩ／Ｆ部１５０６によりメモリカード３００４内の第２記憶部１６０３に記憶された試聴コンテンツ用タイトル鍵１６１３を読み込んで変換部１５１３内の復号処理部１５１６に出力する（ステップＳ３８０２）。
【０３３１】
次に、制御部１５０１は、メモリカードＩ／Ｆ部１５０６によりメモリカード３００４内の第２記憶部１６０３に記憶された試聴コンテンツの権利データ用タイトル鍵１６１４を読み込んで変換部１５１３内の復号処理部１５１６に出力する（ステップＳ３８０３）。復号処理部１５１６は、制御部１５０１から入力された試聴コンテンツ用タイトル鍵１６１３を、固有情報記憶部１５０３に記憶した固有情報に基づいて復号化する（ステップＳ３８０４）。
【０３３２】
次に、メモリカードＩ／Ｆ部１５０６は、メモリカード３００４内の第１記憶部１６０２に記憶された試聴コンテンツ全体１６１１を読み込んで変換部１５１３内の復号処理部１５１６に出力する（ステップＳ３８０５）。復号処理部１５１６は、メモリカードＩ／Ｆ部１５０６から入力された試聴コンテンツ全体１６１１を、制御部１５０１から入力された試聴コンテンツ用タイトル鍵１６１３を用いて復号化して、転送禁止用パッケージ３９１１を抽出する（ステップＳ３８０６）。
【０３３３】
次に、制御部１５０１は、転送禁止用パッケージ３９１１（図３９参照）を解析し（ステップＳ３８０７）、その解析結果に基づいて、転送禁止用パッケージ３９１１のパッケージングを解いて試聴コンテンツパッケージ３９１０とし、転送禁止フラグを付加して蓄積部１５０５に蓄積する（ステップＳ３８０８）。
【０３３４】
この蓄積部１５０５に蓄積された試聴コンテンツパッケージ３９１０の例を図４０に示す。図４０に示すように、試聴コンテンツパッケージ３９１０には、転送禁止フラグ４００１が付加されている。
【０３３５】
次に、復号処理部１５１６は、制御部１５０１から入力された試聴コンテンツの権利データ用タイトル鍵１６１４を、固有情報記憶部１５０３に記憶した固有情報に基づいて復号化する（ステップＳ３８０９）。
【０３３６】
次に、メモリカードＩ／Ｆ部１５０６は、メモリカード３００４内の第１記憶部１６０２に記憶された試聴コンテンツ用権利データ全体１６１２（図３４参照）を読み込んで変換部１５１３内の復号処理部１５１６に出力する（ステップＳ３８１０）。復号処理部１５１６は、メモリカードＩ／Ｆ部１５０６から入力された試聴コンテンツ用権利データ全体１６１２を、復号化した権利データ用タイトル鍵１６１４を用いて復号化して試聴コンテンツ用権利データ本体１９１０として制御部１５０１に出力する（ステップＳ３８１１）。
【０３３７】
次に、制御部１５０１は、復号処理部１５１６から入力された試聴コンテンツ用権利データ本体１９１０を蓄積部１５０５に蓄積する（ステップＳ３８１２）。次に、メモリカードＩ／Ｆ部１５０６は、メモリカード３００４内の第１記憶部１６０２に記憶されたフルコンテンツ３４０１を読み出して制御部１５０１に出力する（ステップＳ３８１３）。制御部１５０１は、メモリカードＩ／Ｆ部１５０６から入力されたフルコンテンツ３４０１を蓄積部１５０５に蓄積して（ステップＳ３８１４）、本処理を終了する。
【０３３８】
また、ステップＳ３８０１において、制御部１５０１は、相互認証が失敗したと判別した場合は（ステップＳ３８０１：ＮＯ）、本処理を終了する。
【０３３９】
以上の処理により、携帯情報端末装置３００３内の蓄積部１５０５には、転送禁止フラグ４００１を付加して試聴コンテンツパッケージ３９１０と、試聴コンテンツ用権利データ本体１９１０と、フルコンテンツ３４０１が蓄積されたことになる。
【０３４０】
次に、携帯情報端末装置３００３において実行される試聴コンテンツ再生処理について、図４１に示すフローチャートを参照して説明する。
【０３４１】
図４１において、携帯情報端末装置３００３内の管理部１５１２は、蓄積部１５０５から試聴コンテンツ用権利データ本体１９１０を取得して権利データ解釈部１５１４に出力し（ステップＳ４１０１）、続いて、蓄積部１５０５から試聴コンテンツパッケージ３９１０を取得して変換部１５１３内の復号処理部１５１６に出力する（ステップＳ４１０２）。
【０３４２】
権利データ解釈部１５１４は、管理部１５１２から入力された試聴コンテンツ用権利データ本体１９１０に含まれるコンテンツ再生制限１９０５（図２０参照）の内容を解釈し、試聴コンテンツが試聴可能か否かを判定する（ステップＳ４１０３）。権利データ解釈部１５１４は、試聴コンテンツが試聴可能と判定した場合は（ステップＳ４１０３：ＹＥＳ）、その旨を管理部１５１２に通知する。
【０３４３】
管理部１５１２は、権利データ解釈部１５１４から試聴可能である旨が通知されると、以下の手順で試聴コンテンツのコンテンツ本体３９０１を再生する（ステップＳ４１０４）。
【０３４４】
まず、管理部１５１２は、試聴コンテンツ用権利データ本体１９１０を管理部１５１２内の復号処理部１５１５に出力する。復号処理部１５１５は、管理部１５１２から入力された試聴コンテンツ用権利データ本体１９１０に含まれる試聴コンテンツのコンテンツ本体３９０１を、試聴コンテンツ用権利データ本体１９１０に含まれる試聴コンテンツ用コンテンツ復号鍵１９０１を用いて復号化し、復号化したコンテンツ本体３９０１を再生部１５０８に出力する。
【０３４５】
次に、再生部１５０８は、復号処理部１５１５から入力された試聴コンテンツのコンテンツ本体３９０１に含まれるに含まれる音声データと画像データをそれぞれＤ／Ａ変換等の再生処理を実行し、音声信号を音声出力部１５０９に出力し、画像信号を画像出力部１５１０に出力する。
【０３４６】
以後、音声出力部１５０９は、再生部１５０８から入力される音声信号をスピーカから出力する。画像出力部１５１０は、再生部１５０８から入力される画像信号に基づいて画像を液晶パネルに表示する。
【０３４７】
次に、権利データ解釈部１５１４は、試聴コンテンツの再生に応じて試聴コンテンツ用権利データ本体１９１０内のコンテンツ再生制限の更新（残り再生回数等）を行って（ステップＳ４１０５）、本処理を終了する。
【０３４８】
また、ステップＳ４１０３において、権利データ解釈部１５１４は、試聴コンテンツが試聴不可能と判定した場合は（ステップＳ４１０３：ＮＯ）、本処理を終了する。
【０３４９】
以上の処理により、携帯情報端末装置３００３のユーザは、所有する携帯情報端末装置３００３の再生機能（画質や音質）に応じた試聴コンテンツの試聴を行うことができ、フルコンテンツの購入判断を適切に行うことができる。
【０３５０】
次に、携帯情報端末装置３００３により実行されるコンテンツ・権利データサーバ３００２からのフルコンテンツ用コンテンツ復号鍵の取得処理について、図４２（ａ）、（ｂ）に示すフローチャートを参照して説明する。
【０３５１】
図４２（ａ）において、携帯情報端末装置３００３内の制御部１５０１は、蓄積部１５０５から試聴コンテンツパッケージ３９１０を取得し（ステップＳ４２０１）、その試聴コンテンツパッケージ３９１０に含まれる権利データ取得ＵＲＬ３９０４（図４０参照）を読み出してダウンロード部３３１１に出力する（ステップＳ４２０２）。
【０３５２】
ダウンロード部３３１１は、制御部１５０１から権利データ取得ＵＲＬ３９０４が入力されると、ブラウザを起動し、権利データ取得ＵＲＬ３９０４に基づいて、送受信部３３０１により移動体通信ネットワーク１０６を介して権利データサーバ３００２にアクセスして、フルコンテンツ用権利データの取得要求を送信する（ステップＳ４２０３）。
【０３５３】
図４２（ｂ）において、権利データサーバ３００２は、送受信部３２０６により移動体通信ネットワーク１０６を介して携帯情報端末装置３００３からのアクセスによりフルコンテンツ用権利データの取得要求を受信すると、管理部３２１１は、権利データ蓄積部３２０３に蓄積されたフルコンテンツ用権利データに基づいて、権利データリスト（権利データの種類、販売条件、価格等を含む）を作成して（ステップＳ４２１１）、その権利データリストを送受信部３２０６から携帯情報端末装置３００３に送信する（ステップＳ４２１２）。
【０３５４】
次に、携帯情報端末装置３００３は、送受信部３３０１により権利データサーバ３００２から送信された権利デーリストを受信すると（ステップＳ４２０４）、ダウンロード部３３１１は、再生部１５０８に権利データリストを出力して、画像出力部１５１０に権利データリストを表示させて、ユーザの入力部１５０４の操作によりフルコンテンツの権利データを選択させる。
【０３５５】
ダウンロード部３３１１は、入力部１５０４によりフルコンテンツの権利データ選択結果が入力されると、その権利データ選択情報を送受信部３３０１から権利データサーバ３００２に送信する（ステップＳ４２０５）。
【０３５６】
次に、権利データサーバ３００２は、送受信部３２０６により携帯情報端末装置３００３から送信された権利データ選択情報を受信すると（ステップＳ４２１３）、管理部３２１１は、権利データ選択情報に基づいて、権利データ蓄積部３２０３から該当するフルコンテンツ用権利データを読み出して、送受信部３２０６から携帯情報端末装置３００３に送信して（ステップＳ４２１４）、本処理を終了する。
【０３５７】
次に、携帯情報端末装置３００３は、送受信部３３０１により権利データサーバ３００２から送信されたフルコンテンツ用権利データを受信すると（ステップＳ４２０６）、ダウンロード部３３１１は、そのフルコンテンツ用権利データを蓄積部１５０５に蓄積して（ステップＳ４２０７）、本処理を終了する。
【０３５８】
ここで、蓄積部１５０５に蓄積したフルコンテンツの構成を、上記実施の形態２と同様に図２７に示す。図２７において、フルコンテンツ２７００には、暗号化されたコンテンツ本体２７０１と、コンテンツＩＤ２７０２と、コンテンツ関連情報２７０３と、権利データ取得ＵＲＬ２７０４と、が含まれる。
【０３５９】
また、蓄積部１５０５に蓄積したフルコンテンツ用権利データの構成を、上記実施の形態２と同様に図２８に示す。図２８において、フルコンテンツ用権利データ２８００には、フルコンテンツ用コンテンツ復号鍵２８０１と、権利データＩＤ２８０２と、コンテンツＩＤ２８０３と、コンテンツ関連情報２８０４と、コンテンツ再生制限２８０５と、が含まれる。
【０３６０】
このフルコンテンツ用権利データ２８００では、コンテンツＩＤ２８０３を含ませることにより、フルコンテンツとフルコンテンツ用権利データの対応を取っている。また、コンテンツ再生制限２８０５には、「再生期間制限」等、フルコンテンツの再生を制限する情報が含まれる。
【０３６１】
以上の処理により、携帯情報端末装置３００３のユーザは、試聴コンテンツを確認してから試聴コンテンツに格納された権利データ取得ＵＲＬに基づいて、権利データサーバ３００２にアクセスしてフルコンテンツ用権利データを取得して携帯情報端末装置３００３内に蓄積することができる。
【０３６２】
次に、携帯情報端末装置３００３から他の携帯情報端末装置に試聴コンテンツを転送する場合の動作について、図４３に示すフローチャートを参照して説明する。
【０３６３】
図４３において、試聴コンテンツ転送元の携帯情報端末装置３００３は、ユーザの入力部１５０４の操作により試聴コンテンツ転送指示が入力されると、コンテンツ転送判定部３３１２は、蓄積部１５０５からコンテンツ本体３９０１を読み出して転送可能かどうかを判定する（ステップＳ４３０１）。
【０３６４】
図４０に示すように、コンテンツ本体３９０１に転送禁止フラグ４００１が付加されている場合は、他の携帯情報端末装置への転送は不可である。
【０３６５】
コンテンツ転送判定部３３１２は、コンテンツ本体３９０１に付加された転送禁止フラグ４００１により転送不可であると判定した場合は（ステップＳ４３０１：ＮＯ）、転送禁止メッセージを再生部１５０８を介して画像出力部１５１０に出力して、転送不可である旨を表示して（ステップＳ４３０２）、本処理を終了する。
【０３６６】
また、コンテンツ転送判定部３３１２は、コンテンツ本体３９０１に転送禁止フラグ４００１が付加されていなければ、転送可能と判定し（ステップＳ４３０１：ＹＥＳ）、読み出したコンテンツ本体３９０１を送受信部３３０１により転送先の他の携帯情報端末装置に送信して（ステップＳ４３０３）、本処理を終了する。
【０３６７】
以上のように、本実施の形態３のコンテンツ処理システム３０００では、固有状発行・管理サーバ１０１がコンテンツパッケージサーバ３００１と携帯情報端末装置３００３に対して、共通の固有情報を発行して管理し、コンテンツパッケージサーバ３００１は、生成した試聴コンテンツ用コンテンツ復号鍵を用いて試聴コンテンツ本体を暗号化して試聴コンテンツ本体３９０１とし、この試聴コンテンツ本体３９０１に、コンテンツＩＤ３９０２、コンテンツ関連情報３９０３、及び権利データ取得ＵＲＬ３９０４を付与した試聴コンテンツパッケージ３９１０を生成し、この試聴コンテンツパッケージ３９１０を暗号化した転送禁止用パッケージ３９１１と、暗号化した試聴コンテンツ用権利データ１６１２と、暗号化したフルコンテンツ３４０１をメモリカード３００４内の第１記憶部１６０２に蓄積した。
【０３６８】
また、コンテンツパッケージサーバ３００１は、メモリカード３００４内の第２記憶部１６０３に、試聴コンテンツ用タイトル鍵１６１３及び権利データ用タイトル鍵１６１４を、固有情報でそれぞれ暗号化して記憶するようにした。
【０３６９】
以上のように、メモリカードに試聴用コンテンツと、フルコンテンツと、試聴コンテンツに対応する鍵情報とを固有情報で暗号化して蓄積し、フルコンテンツに対応するフルコンテンツ用権利データの取得先情報を暗号化して蓄積することにより、固有情報を記憶した特定機器のユーザに対して、試聴コンテンツを低料金または無料で配布することができる。
【０３７０】
このため、携帯情報端末装置のユーザは、メモリカードに蓄積された試聴コンテンツを自装置の再生機能に合わせて再生してコンテンツの内容を確認することができ、フルコンテンツ用権利データの購入手続きへの移行を、表示されたＵＲＬのクリック操作等により容易かつ確実に行うことができる。
【０３７１】
また、本実施の形態３のコンテンツ処理システム３０００では、コンテンツパッケージサーバ３００１は、販売用のフルコンテンツ用権利データを暗号化して権利データサーバ３００２に送信して蓄積し、携帯情報端末装置３００３は、メモリカードＩ／Ｆ部１５０６に装着されたメモリカード３００４に記憶された権利データ取得ＵＲＬ３９０４により権利データサーバ３００２にアクセスして、暗号化されたフルコンテンツ用権利データのみを移動体通信ネットワーク１０６を介して取得するようにした。
【０３７２】
したがって、フルコンテンツ用権利データが暗号化されているため、フルコンテンツ用権利データをセキュアにサーバから携帯情報端末装置に配信することが可能であり、フル暗号化コンテンツの超流通を実現することができ、コンテンツ流通における広告効果を高めることができるとともに、配信時間を短縮でき、ユーザの通信コスト負担も軽減することができる。
【０３７３】
また、フルコンテンツ用権利データには、フルコンテンツの再生を制限する情報も含まれるため、コンテンツパッケージサーバを運用するコンテンツ販売者、またはコンテンツの権利を保有するコンテンツ管理者の利益を保護しながらコンテンツ再生条件を適宜設定することができる。
【０３７４】
また、本実施の形態３のコンテンツ処理システム３０００では、試聴コンテンツ全体１６１１を蓄積した携帯情報端末装置３００３は、同一の固有情報を記憶した携帯情報端末装置に試聴コンテンツ全体１６１１を転送する際に、転送禁止フラグ４００１を付加して転送不可とした。したがって、試聴コンテンツの不正な転送を防止することができ、不正な利用を防止することができる。
【０３７５】
また、転送禁止フラグ４００１が付加されていない場合は、試聴コンテンツ転送先の携帯情報端末装置は、同様にコンテンツ・権利データサーバ３００２からフルコンテンツ用権利データを購入することができる。
【０３７６】
このため、試聴コンテンツの配布とフルコンテンツの流通を、コンテンツ提供者の権利を保護しながら容易にすることができ、コンテンツ販売者、またはコンテンツ管理者の利益を保護しながらコンテンツの超流通の拡大を図ることができる。
【０３７７】
したがって、上記各実施の形態１〜３に示したコンテンツ処理システムをコンテンツ流通に適用することにより、携帯電話サービス等を提供する会社（キャリア）は、自社の携帯電話ユーザに対して、固有情報を発行し、上記のような試聴コンテンツ等をメモリカードに蓄積して配布することにより、独自のコンテンツサービスを展開することが可能になる。
【０３７８】
また、携帯電話装置を販売するメーカーも独自のコンテンツサービスを展開することが可能になる。また、サービス形態として、例えば、固有情報として、１台以上の携帯情報端末装置間でグループＩＤを設定し、このグループのみに対してコンテンツサービスを提供することも可能である。
【０３７９】
また、上記実施の形態１〜３では、固有情報発行・管理サーバは、コンテンツパッケージサーバと携帯情報端末装置から送信される固有情報発行要求を受信するが、コンテンツパッケージサーバの替わりにコンテンツ販売者が要求し、受信した固有情報をコンテンツパッケージサーバへ蓄積したり、携帯情報端末装置の替わりに携帯情報端末装置のメーカーが要求し、受信した固有情報をデータ処理装置へ蓄積してもよい。また、この要求処理は書面での要求に対し、固有情報を格納したＣＤ−ＲＯＭを郵送するなどのオフライン処理でもよい。
【０３８０】
また、上記実施の形態１〜３では、固有情報に関連付けるデータ例を３例示したが、これらの例に限らず、例えば、固有情報をサーバに記憶された権利データのみに関連付けるようにしてもよい。この場合、固有情報を記憶した携帯情報端末装置のユーザは、メモリカードに蓄積された試聴コンテンツをネットワークに接続することなく試聴することができる。また、試聴後に権利データをキャリアのサーバからダウンロードするだけでフルコンテンツを再生することができ、コンテンツの超流通を容易にすることができ、広告効果を高めることができる。
【０３８１】
また、上記実施の形態１，２では、試聴コンテンツとフルコンテンツを別々に用意し、特に、試聴コンテンツの内容は示していないが、試聴コンテンツの形態は、以下のようなものでもよい。
【０３８２】
（１）フルコンテンツの一部（例えば、楽曲の最初の３０秒間のみ、サビの部分のみ、文書データの５ページ、ＪＡＶＡ（登録商標）ゲームの３面まで等）
（２）フルコンテンツの一部を集めたもの（例えば、映画のダイジェスト版等）
（３）フルコンテンツの縮小版（例えば、静止画、動画の画像サイズ縮小版等）
（４）フルコンテンツの低品質版（例えば、楽曲の低ビットレート版等）
試聴コンテンツは、（１）〜（４）のようなものとすることにより、携帯情報端末装置は、権利データによる制限（再生回数制限等）をサポートしていなくても、試聴することが可能になる。
【０３８３】
また、権利データに設定する制限内容は、以下のようなものであってもよい。
【０３８４】
（１）再生回数制限（例えば、３回まで等）
（２）再生期間制限（例えば、何月何日まで、最初に再生してから何日間等）
（３）再生合計時間制限（例えば、再生合計時間は１０分間等）
（４）再生可能部分制限（例えば、楽曲の最初の３０秒間のみ、サビの部分のみ、文書データの５ページ、ＪＡＶＡ（登録商標）ゲームの３面まで等）
権利データは、（１）〜（４）のような制限内容を設定することにより、より細かな試聴の制限が可能になる。
【０３８５】
（５）具体的な制限を記述するのではなく、コンテンツの種別に応じて試聴の方法を自動で選択（例えば、楽曲は再生可能部分を短くして（楽曲の最初の３０秒間のみ）回数制限なし、ゲームは回数制限付き等）
この場合、権利データを作成する側は、詳細な制限を設定しなくてもよくなり、携帯情報端末装置がコンテンツの種別に応じて自動的に再生の制限を設定するため、権利データを作成する側の負担を軽減することができる。
【０３８６】
また、上記実施の形態２，３では、フルコンテンツ又はフルコンテンツ用権利データの購入タイミングは、試聴コンテンツの試聴後である場合を示したが、以下のようなタイミングであってもよい。
【０３８７】
（１）フルコンテンツまたは試聴コンテンツの再生開始時に対応する権利データが存在しない
（２）フルコンテンツまたは試聴コンテンツの再生開始時に対応する権利データが使用不可（例えば、残り再生回数が０回、残り再生時間が０秒、期限切れ等）
（３）フルコンテンツまたは試聴コンテンツの再生終了時に対応する権利データが使用不可に近い（例えば、残り再生回数が一定回数以下、残り再生時間が一定時間以下、期限切れまでの時間が一定時間以下等）
（４）試聴コンテンツを再生する度、または制限あり権利データを使用する度
以上のような適切なタイミングでユーザに購入を促すことにより、ユーザの購入処理を簡略化することができる。
【０３８８】
（５）ユーザがフルコンテンツまたは試聴コンテンツを指定して購入を要求
この場合、ユーザが要求する任意のタイミングで購入処理を行うことが可能になる。
【０３８９】
また、フルコンテンツや権利データを購入した後に、携帯情報端末装置内に試聴コンテンツや制限あり権利データが残る場合は、以下のような処理を行うようにしてもよい。
【０３９０】
（１）購入処理終了後に、試聴コンテンツや制限あり権利データを自動削除
（２）コンテンツ再生時に試聴コンテンツではなくフルコンテンツ、制限あり権利データではなく、制限なし権利データを携帯情報端末装置が自動的に選択
（３）コンテンツ再生時に試聴コンテンツではなくフルコンテンツ、制限あり権利データではなく、制限なし権利データを携帯情報端末装置が自動で優先し、ユーザに選択させる。
【０３９１】
以上のような購入処理後の処理を行うことにより、購入処理後に利用価値の下がった試聴コンテンツや制限あり権利データの利用を抑制し、ユーザによるコンテンツ再生処理を簡略化することができる。
【０３９２】
また、上記実施の形態２，３では、携帯情報端末装置に読み込み後のコンテンツを他の携帯情報端末装置に転送可能とする場合と、転送不可とする場合を示したが、以下のようなコンテンツの転送制御を行うようにしてもよい。
【０３９３】
（１）コンテンツの種別（コンテンツタイプ）やデータが権利データかどうかでコンテンツの転送可／転送不可を判断
（２）蓄積メディアに蓄積時のデータを格納していたパッケージの種別、ファイル拡張子、ファイル名、データが格納されていたフォルダ等に応じてコンテンツの転送可／転送不可を判断
以上のような転送制御を行うことにより、蓄積メディアから固有情報に関連付けたデータ読込制限に応じて、特定の端末のみにサービスを提供することが可能になる。また、試聴コンテンツや制限あり権利データを転送可とすることにより、広告効果を高めることが可能になる。
【０３９４】
（３）メールによるコンテンツ転送時に、メールアドレスにて特定のキャリアの端末かどうかを判定し、コンテンツの転送可／転送不可を判断
蓄積メディアから読み出したデータが特定のキャリアＩＤに関連付けられた場合、そのキャリアの端末間でデータを共有しつつ、キャリア固有のサービスを実施可能になる。
【０３９５】
また、上記実施の形態２，３では、コンテンツパッケージサーバと別にコンテンツ・権利データサーバ、権利データサーバを用いたが、これらは一体であってもよい。
【産業上の利用可能性】
【０３９６】
本発明は、特定の機器向けの固有情報を関連付けたコンテンツを蓄積メディアに格納して販売、又は配布して、特定機器向けのパッケージ販売を実現し、携帯情報端末、携帯電話装置などの電子機器や、メモリカードなどの蓄積メディアなどにおいて、デジタルコンテンツの取扱いに関する権利データを含むデータの処理を行うデータ処理システムやデータ処理装置等に有用である。
【図面の簡単な説明】
【０３９７】
【図１】本発明の実施の形態１に係るコンテンツ処理システムの構成を示すブロック図
【図２】本実施の形態１に係る固有情報発行・管理サーバの構成を示すブロック図
【図３】本実施の形態１に係るコンテンツパッケージサーバの構成を示すブロック図
【図４】本実施の形態１に係る携帯情報端末装置の構成を示すブロック図
【図５】本実施の形態１に係るメモリカードの構成を示すブロック図
【図６】本実施の形態１に係るフルコンテンツ本体を暗号化したコンテンツ全体を示す図
【図７】本実施の形態１に係る復号化したフルコンテンツ本体を示す図
【図８】本実施の形態１に係る（ａ）は固有情報発行管理サーバにおいて実行される固有情報発行処理を示すフローチャート、（ｂ）はコンテンツパッケージサーバにおいて実行される固有情報発行処理を示すフローチャート、（ｃ）は携帯情報端末装置において実行される固有情報発行処理を示すフローチャート
【図９】本実施の形態１に係るコンテンツパッケージサーバにおいて実行されるコンテンツのメモリカードへの蓄積処理示すフローチャート
【図１０】本実施の形態１に係る携帯情報端末装置において実行されるメモリカードからのコンテンツ読込処理を示すフローチャート
【図１１】本実施の形態１に係る携帯情報端末装置において実行されるコンテンツ再生処理を示すフローチャート
【図１２】本発明の実施の形態２に係るコンテンツ処理システムの構成を示すブロック図
【図１３】本実施の形態２に係るコンテンツパッケージサーバの構成を示すブロック図
【図１４】本実施の形態２に係るコンテンツ・権利データサーバの構成を示すブロック図
【図１５】本実施の形態２に係る携帯情報端末装置の構成を示すブロック図
【図１６】本実施の形態２に係るメモリカードの構成を示すブロック図
【図１７】本実施の形態２に係る試聴コンテンツ全体の構成を示す図
【図１８】本実施の形態２に係る復号化した試聴コンテンツパッケージの構成を示す図
【図１９】本実施の形態２に係る試聴コンテンツ用権利データ全体の構成を示す図
【図２０】本実施の形態２に係る試聴コンテンツ用権利データ本体の構成を示す図
【図２１】本実施の形態２に係るコンテンツパッケージサーバおいて実行されるコンテンツパッケージ処理の一部を示すフローチャート
【図２２】本実施の形態２に係るコンテンツパッケージサーバにおいて実行されるコンテンツパッケージ処理の一部を示すフローチャート
【図２３】本実施の形態２に係るコンテンツ・権利データサーバにおいて実行される蓄積処理を示すフローチャート
【図２４】本実施の形態２に係る携帯情報端末装置において実行されるメモリカードからの試聴コンテンツ読込処理を示すフローチャート
【図２５】本実施の形態２に係る携帯情報端末装置において実行されるコンテンツ再生処理を示すフローチャート
【図２６】本実施の形態２に係る（ａ）は携帯情報端末装置において実行されるフルコンテンツパッケージとフルコンテンツ用権利データの取得処理を示すフローチャート、（ｂ）はコンテンツ・権利データサーバにおいて実行されるフルコンテンツパッケージとフルコンテンツ用権利データの送信処理を示すフローチャート
【図２７】本実施の形態２に係る携帯情報端末装置に蓄積したフルコンテンツの構成を示す図
【図２８】本実施の形態２に係る携帯情報端末装置に蓄積したフルコンテンツ用権利データの構成を示す図
【図２９】本実施の形態２に係る（ａ）は転送元の携帯情報端末装置において実行される試聴コンテンツ転送処理を示すフローチャート、（ｂ）は転送先の携帯情報端末装置において実行される試聴コンテンツ転送処理を示すフローチャート、（ｃ）はコンテンツ・権利データサーバにおいて実行されるフルコンテンツパッケージとフルコンテンツ用権利データの送信処理を示すフローチャート
【図３０】本発明の実施の形態３に係るコンテンツ処理システムの構成を示すブロック図
【図３１】本発明の実施の形態３に係るコンテンツパッケージサーバの構成を示すブロック図
【図３２】本発明の実施の形態３に係る権利データサーバの構成を示すブロック図
【図３３】本発明の実施の形態３に係る携帯情報端末装置の構成を示すブロック図
【図３４】本発明の実施の形態３に係るメモリカードの構成を示すブロック図
【図３５】本発明の実施の形態３に係るコンテンツパッケージサーバにおいて実行されるコンテンツパッケージ処理の一部を示すフローチャート
【図３６】本発明の実施の形態３に係るコンテンツパッケージサーバにおいて実行されるコンテンツパッケージ処理の一部を示すフローチャート
【図３７】本発明の実施の形態３に係る権利データサーバにおいて実行される蓄積処理を示すフローチャート
【図３８】本発明の実施の形態３に係る携帯情報端末装置において実行されるメモリカードからの試聴コンテンツとフルコンテンツの読込処理を示すフローチャート
【図３９】本発明の実施の形態３に係る転送禁止用パッケージの構成を示す図
【図４０】本発明の実施の形態３に係る携帯情報端末装置に蓄積した転送禁止フラグを付加した試聴コンテンツパッケージの構成を示す図
【図４１】本発明の実施の形態３に係る携帯情報端末装置において実行される試聴コンテンツ再生処理を示すフローチャート
【図４２】本発明の実施の形態３に係る（ａ）は携帯情報端末装置において実行されるフルコンテンツ用権利データの取得処理を示すフローチャート、（ｂ）は権利データサーバにおいて実行されるフルコンテンツ用権利データの送信処理を示すフローチャート
【図４３】本発明の実施の形態３に係る携帯情報端末装置において実行される試聴コンテンツ転送処理を示すフローチャート
【符号の説明】
【０３９８】
１００、１２００、３０００  コンテンツ処理システム
１０１  固有情報発行・管理サーバ
１０２、１２０１、３００１  コンテンツパッケージサーバ
１０３、１２０３、１２０４、３００３  携帯情報端末装置
１０４、１２０５、３００４  メモリカード
２０１  固有情報生成部
２０２、３１１、４２１、１３１１、１４１１、１５１２、３２１１  管理部
２０３  固有情報蓄積部
２０４、３０７、４０７、１３０８、１４０６、１５０７、３２０６、３３０１  送受信部
３０１、４０１、１３０１、１４０１、１５０１  制御部
３０２、４０２、１３０２、１４０２、１５０２、３２０２  メモリ
３０３、４０３、１３０３、１５０３  固有情報記憶部
３０４、４０４、１３０４、１５０４  入力部
３０５、１３０５  コンテンツ蓄積部
３０６、４０６、１３０６、１５０６  メモリカードＩ／Ｆ部
３１２、４２２、１３１２、１５１３、３１１１  変換部
３１３、１３１３、３１１２  コンテンツパッケージ部
３１４、１３１５  鍵生成部
３１５、１３１６  暗号処理部
４０５、１５０５  蓄積部
４０８、１５０８  再生部
４０９、１５０９  音声出力部
４１０、１５１０  画像出力部
４２３、１５１５、１５１６  復号処理部
５０１、１６０１  認証部
５０２、１６０２  第１記憶部
５０３、１６０３  第２記憶部
５１１  コンテンツ全体
５１２  フルコンテンツ用タイトル鍵
５２１  フルコンテンツ本体
１２０２  コンテンツ・権利データサーバ
１３０７、１４０５  コンテンツ・権利データＩ／Ｆ部
１３１４  権利データ生成部
１３１５  鍵生成部
１３１６  暗号処理部
１５１１、３３１１  ダウンロード部
１５１４  権利データ解釈部
１６１１  試聴コンテンツ全体
１６１２  試聴コンテンツ用権利データ
１６１３  試聴コンテンツ用タイトル鍵
１６１４  権利データ用タイトル鍵
１７０４  コンテンツ取得ＵＲＬ
１７０５、３９０４  権利データ取得ＵＲＬ
１７１０、３９１０  試聴コンテンツパッケージ
１９０１  試聴コンテンツ用コンテンツ復号鍵
１９０５  コンテンツ再生制限
１９１０  試聴コンテンツ用権利データ本体
３００２  権利データサーバ
３１０１  権利データＩ／Ｆ部
３２０３  権利データ蓄積部
３３１２  コンテンツ転送判定部
３９０１  試聴コンテンツのコンテンツ本体
４００１  転送禁止フラグ
【図１】
2006163538.tif 000003
【図２】
2006163538.tif 000004
【図３】
2006163538.tif 000005
【図４】
2006163538.tif 000006
【図５】
2006163538.tif 000007
【図６】
2006163538.tif 000008
【図７】
2006163538.tif 000009
【図８】
2006163538.tif 000010
【図９】
2006163538.tif 000011
【図１０】
2006163538.tif 000012
【図１１】
2006163538.tif 000013
【図１２】
2006163538.tif 000014
【図１３】
2006163538.tif 000015
【図１４】
2006163538.tif 000016
【図１５】
2006163538.tif 000017
【図１６】
2006163538.tif 000018
【図１７】
2006163538.tif 000019
【図１８】
2006163538.tif 000020
【図１９】
2006163538.tif 000021
【図２０】
2006163538.tif 000022
【図２１】
2006163538.tif 000023
【図２２】
2006163538.tif 000024
【図２３】
2006163538.tif 000025
【図２４】
2006163538.tif 000026
【図２５】
2006163538.tif 000027
【図２６】
2006163538.tif 000028
【図２７】
2006163538.tif 000029
【図２８】
2006163538.tif 000030
【図２９】
2006163538.tif 000031
【図３０】
2006163538.tif 000032
【図３１】
2006163538.tif 000033
【図３２】
2006163538.tif 000034
【図３３】
2006163538.tif 000035
【図３４】
2006163538.tif 000036
【図３５】
2006163538.tif 000037
【図３６】
2006163538.tif 000038
【図３７】
2006163538.tif 000039
【図３８】
2006163538.tif 000040
【図３９】
2006163538.tif 000041
【図４０】
2006163538.tif 000042
【図４１】
2006163538.tif 000043
【図４２】
2006163538.tif 000044
【図４３】
2006163538.tif 000045